(57)【要約】ＵＥとネットワーク機器との間のネットワーク通信を管理するための方法、システム、およびデバイスについて説明する。ＵＥとネットワーク機器との間の通信は第１の無線アクセス技術（ＲＡＴ）と第２のＲＡＴとで確立され得、第１のＲＡＴと第２のＲＡＴとの間の結合はＵＥとネットワーク機器との間の通信において識別され得る。第１のＲＡＴと第２のＲＡＴとの間の識別された結合に基づいて、ＲＡＴのうちの少なくとも１つのための再選択プロシージャまたはハンドオーバプロシージャのうちの少なくとも１つが適応され得る。第１のＲＡＴはＬＴＥまたはＬＴＥ−Ａであり得、第２のＲＡＴはＷＬＡであり得る。当該通信は、当該２つのＲＡＴをまたがるキャリアアグリゲーションに基づき得る。【選択図】図４
2016521524.tif 000002
【特許請求の範囲】
【請求項１】
ユーザ機器（ＵＥ）によるワイヤレス通信の方法であって、
第１の無線アクセス技術（ＲＡＴ）と第２のＲＡＴとにより前記ＵＥとネットワーク機器との間の通信を確立することと、
前記ＵＥと前記ネットワーク機器との間の前記通信において前記第１のＲＡＴと前記第２のＲＡＴとの間の結合を識別することと、
前記ＵＥが、前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させることと、
を備える方法。
【請求項２】
前記第１のＲＡＴと前記第２のＲＡＴとの間の前記結合を識別することは、
前記第１のＲＡＴと前記第２のＲＡＴとにより前記ＵＥと前記ネットワーク機器との間で通信されるネットワークトラフィックが、少なくとも１つの同じベアラによってサポートされると決定すること、
を備える、請求項１に記載の方法。
【請求項３】
前記ＵＥのハンドオーバが、現在のレートで前記第１のＲＡＴと前記第２のＲＡＴの両方により前記少なくとも１つの同じベアラによってサポートされるネットワークトラフィックを通信し続ける前記ＵＥの能力に影響を及ぼすことになると決定すること、
をさらに備え、
ここにおいて、前記ハンドオーバプロシージャを前記適応させることは、前記ハンドオーバが、前記現在のレートで前記第１のＲＡＴと前記第２のＲＡＴの両方により前記少なくとも１つの同じベアラによってサポートされるネットワークトラフィックを通信し続ける前記ＵＥの前記能力に影響を及ぼすことになるという前記決定に応答する、請求項２に記載の方法。
【請求項４】
前記第１のＲＡＴと前記第２のＲＡＴとの間の前記結合を識別することは、
前記第２のＲＡＴの少なくとも１つのキャリアと前記第１のＲＡＴの少なくとも１つのキャリアとのキャリアアグリゲーションを識別すること、または、
前記ネットワーク機器が、前記第１のＲＡＴと前記第２のＲＡＴとに関連付けられたコロケート要素を備えると決定すること、
を備える、請求項１に記載の方法。
【請求項５】
前記第１のＲＡＴと前記第２のＲＡＴとの間の前記結合を識別することは、
前記ＲＡＴのうちの１つで前記ネットワーク機器からユニキャストメッセージを受信すること、前記メッセージは前記第１のＲＡＴと前記第２のＲＡＴとの間の前記結合を示し、または、
前記ＲＡＴのうちの少なくとも１つで前記第１のＲＡＴと前記第２のＲＡＴとの間の前記結合を広告するブロードキャストメッセージを受信すること、
を備える、請求項１に記載の方法。
【請求項６】
前記ＲＡＴのうちの少なくとも１つのための前記ハンドオーバプロシージャを適応させることは、
前記第１のＲＡＴにおけるハンドオーバイベントの検出に応答して前記第２のＲＡＴにおけるハンドオーバイベントを開始するように前記ＵＥを構成すること、
を備える、請求項１に記載の方法。
【請求項７】
前記第２のＲＡＴにおける前記ハンドオーバイベントのターゲットが少なくとも１つの所定の基準を満たすという決定に応答して、前記第２のＲＡＴにおける前記ハンドオーバイベントを開始するように前記ＵＥを構成すること、ここにおいて、前記少なくとも１つの所定の基準は、前記第１のＲＡＴにおける前記ハンドオーバイベントのターゲットと前記第２のＲＡＴにおける前記ハンドオーバイベントの前記ターゲットとに関連付けられたネットワーク機器が前記第１のＲＡＴと前記第２のＲＡＴとの前記結合をサポートするという決定を備える、
をさらに備える、請求項６に記載の方法。
【請求項８】
前記第１のＲＡＴにおける前記ハンドオーバイベントの前記ターゲットが前記第２のＲＡＴにおける前記ハンドオーバイベントの前記ターゲットとコロケートされているという決定に応答して前記第２のＲＡＴにおける前記ハンドオーバイベントを開始するように前記ＵＥを構成すること
をさらに備える、請求項７に記載の方法。
【請求項９】
前記ＲＡＴのうちの少なくとも１つのための前記再選択プロシージャまたは前記ハンドオーバプロシージャを適応させることは、
前記第１のＲＡＴまたは前記第２のＲＡＴで前記ネットワーク機器から受信されたメッセージに基づいて前記第２のＲＡＴにおけるハンドオーバイベントを開始するように前記ＵＥを構成すること、
を備える、請求項１に記載の方法。
【請求項１０】
前記ネットワーク機器から受信された前記メッセージは前記第１のＲＡＴにおけるハンドオーバイベントに応答する、請求項９に記載の方法。
【請求項１１】
前記ＲＡＴのうちの少なくとも１つのための前記再選択プロシージャまたは前記ハンドオーバプロシージャを適応させることは、
前記ＲＡＴのうちの前記少なくとも１つのためにデフォルトハンドオーバプロシージャを抑圧するように前記ＵＥを構成すること、
を備える、請求項１に記載の方法。
【請求項１２】
前記ＲＡＴのうちの少なくとも１つのための前記再選択プロシージャまたは前記ハンドオーバプロシージャを適応させることは、
チャネル測定値を取得すること、または前記ネットワーク機器に測定報告を与えること、のうちの少なくとも１つを実行するように前記ＵＥをトリガするように構成された測定イベントのセットを変更すること、
を備える、請求項１に記載の方法。
【請求項１３】
前記ＲＡＴのうちの１つに関連付けられたポートのセットでワイヤレストラフィックを送信および受信すること、
をさらに備え、
ここにおいて、前記再選択プロシージャまたはハンドオーバプロシージャはポートの前記セットのサブセットのために適応される、請求項１に記載の方法。
【請求項１４】
ユーザ機器（ＵＥ）装置であって、
第１の無線アクセス技術（ＲＡＴ）と第２のＲＡＴとにより前記ＵＥ装置とネットワーク機器との間の通信を確立するための手段と、
前記ＵＥ装置と前記ネットワーク機器との間の前記通信において前記第１のＲＡＴと前記第２のＲＡＴとの間の結合を識別するための手段と、
前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させるための手段と、
を備えるＵＥ装置。
【請求項１５】
前記第１のＲＡＴと前記第２のＲＡＴとによる前記ＵＥ装置と前記ネットワーク機器との間で通信されるネットワークトラフィックが、少なくとも１つの同じベアラによってサポートされると決定するための手段、
をさらに備える、請求項１４に記載のＵＥ装置。
【請求項１６】
前記ＵＥ装置のハンドオーバが、現在のレートで前記第１のＲＡＴと前記第２のＲＡＴの両方により前記少なくとも１つの同じベアラによってサポートされるネットワークトラフィックを通信し続ける前記ＵＥ装置の能力に影響を及ぼすことになると決定するための手段、
をさらに備え、
ここにおいて、前記ハンドオーバプロシージャを適応させることは、前記ハンドオーバが、前記現在のレートで前記第１のＲＡＴと前記第２のＲＡＴの両方により前記少なくとも１つの同じベアラによってサポートされるネットワークトラフィックを通信し続ける前記ＵＥ装置の前記能力に影響を及ぼすことになるという前記決定に応答する、請求項１５に記載のＵＥ装置。
【請求項１７】
ネットワーク機器によるワイヤレス通信の方法であって、
第１の無線アクセス技術（ＲＡＴ）と第２のＲＡＴとで前記ネットワーク機器とユーザ機器（ＵＥ）との間の通信を確立することと、
前記ネットワーク機器と前記ＵＥとの間の前記通信において前記第１のＲＡＴと前記第２のＲＡＴとの間の結合を識別することと、
前記ネットワーク機器が、前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させることと、
を備える方法。
【請求項１８】
前記第１のＲＡＴと前記第２のＲＡＴとの間の前記結合を識別することは、
前記第１のＲＡＴと前記第２のＲＡＴとにより前記ネットワーク機器と前記ＵＥとの間で通信されるネットワークトラフィックが、少なくとも１つの同じベアラによってサポートされると決定すること、
を備える、請求項１７に記載の方法。
【請求項１９】
前記ＵＥのハンドオーバが、現在のレートで前記第１のＲＡＴと前記第２のＲＡＴの両方により前記少なくとも１つの同じベアラによってサポートされるネットワークトラフィックを通信し続ける前記ＵＥの能力に影響を及ぼすことになると決定すること、
をさらに備え、
ここにおいて、前記ハンドオーバプロシージャを前記適応させることは、前記ハンドオーバが、前記現在のレートで前記第１のＲＡＴと前記第２のＲＡＴの両方により前記少なくとも１つの同じベアラによってサポートされるネットワークトラフィックを通信し続ける前記ＵＥの前記能力に影響を及ぼすことになるという前記決定に応答する、請求項１８に記載の方法。
【請求項２０】
前記第１のＲＡＴと前記第２のＲＡＴとの間の前記結合を識別することは、
前記第２のＲＡＴの少なくとも１つのキャリアと前記第１のＲＡＴの少なくとも１つのキャリアとのキャリアアグリゲーションを識別すること、または、
前記ネットワーク機器が、前記第１のＲＡＴと前記第２のＲＡＴとに関連付けられたコロケート要素を備えると決定すること、
を備える、請求項１７に記載の方法。
【請求項２１】
前記ＲＡＴのうちの少なくとも１つのための前記ハンドオーバプロシージャを適応させることは、
前記第１のＲＡＴにおける前記ＵＥのハンドオーバイベントを検出することと、
前記第１のＲＡＴにおける前記ハンドオーバイベントに応答して、前記ＵＥにメッセージを送信することと、前記メッセージは、前記第２のＲＡＴにおけるハンドオーバイベントに関連付けられたターゲットを識別する、
を備える、請求項１７に記載の方法。
【請求項２２】
前記第１のＲＡＴにおける前記ハンドオーバイベントのターゲットと前記第２のＲＡＴにおける前記ハンドオーバイベントの前記ターゲットとが前記第１のＲＡＴと前記第２のＲＡＴとの間の前記結合をサポートするという決定にさらに応答して前記ＵＥに前記メッセージを送信すること、
をさらに備える、請求項２１に記載の方法。
【請求項２３】
前記再選択プロシージャまたは前記ハンドオーバプロシージャを前記適応させることは、
チャネル測定値を取得すること、または前記ネットワーク機器に測定報告を与えること、のうちの少なくとも１つを実行するように前記ＵＥをトリガするように構成された測定イベントのセットを変更するために前記ＵＥと通信すること、
を備える、請求項１７に記載の方法。
【請求項２４】
測定イベントの前記セットを変更することは、
チャネル測定を実行するか、または前記ネットワーク機器に測定報告を与えるように前記ＵＥをトリガする信号強度しきい値の少なくとも１つの新しい値を構成すること、
を備える、請求項２３に記載の方法。
【請求項２５】
前記再選択プロシージャまたは前記ハンドオーバプロシージャを前記適応させることは、前記ＲＡＴのうちの少なくとも１つの測定されたネットワーク状態にさらに基づく、請求項１７に記載の方法。
【請求項２６】
前記再選択プロシージャまたは前記ハンドオーバプロシージャを前記適応させることは、前記ネットワーク機器によって記憶されるポリシーまたは前記ＵＥのサービスクラスのうちの少なくとも１つにさらに基づく、請求項１７に記載の方法。
【請求項２７】
前記ＲＡＴのうちの少なくとも１つはワイヤレスワイドエリアネットワーク（ＷＷＡＮ）ＲＡＴを備え、前記ＲＡＴのうちの他方はワイヤレスローカルエリアネットワーク（ＷＬＡＮ）ＲＡＴを備える、請求項１７に記載の方法。
【請求項２８】
ネットワーク機器装置であって、
第１の無線アクセス技術（ＲＡＴ）と第２のＲＡＴとで前記ネットワーク機器装置とユーザ機器（ＵＥ）との間の通信を確立するための手段と、
前記ネットワーク機器装置と前記ＵＥとの間の前記通信において前記第１のＲＡＴと前記第２のＲＡＴとの間の結合を識別するための手段と、
前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させるための手段と、
を備える、ネットワーク機器装置。
【請求項２９】
前記第１のＲＡＴと前記第２のＲＡＴとで前記ネットワーク機器と前記ＵＥとの間で通信されるネットワークトラフィックが、少なくとも１つの同じベアラによってサポートされると決定するための手段、
をさらに備える、請求項２８に記載のネットワーク機器装置。
【請求項３０】
前記第１のＲＡＴにおける前記ＵＥのハンドオーバイベントを検出するための手段と、
前記第１のＲＡＴにおける前記ハンドオーバイベントに応答して、前記ＵＥにメッセージを送信するための手段と、前記メッセージは前記第２のＲＡＴにおける前記ＵＥのハンドオーバイベントをトリガする、
をさらに備える、請求項２８に記載のネットワーク機器装置。
【発明の詳細な説明】
【優先権の主張】
【０００１】
相互参照
本特許出願は、各々が本出願の譲受人に譲渡された、２０１４年５月５日に出願された、「Coordinating Handover Events Across RATs」と題する、Ｓｕｎｄａｒａｒａｊａｎらによる米国特許出願第１４／２７０，２９５号、および２０１３年５月６日に出願された、「Coordinating Handover Events Across RATs」と題する、Ｓｕｎｄａｒａｒａｊａｎらによる米国仮特許出願第６１／８２０，０９８号の優先権を主張する。
【技術分野】
【０００２】
[0002]以下は、一般に、ワイヤレス通信に関し、より詳細には、ユーザ機器（ＵＥ：user equipment）とネットワーク機器との間でデータを通信するための異なる複数の無線アクセス技術（ＲＡＴ：radio access technology）のアグリゲーションまたは結合に関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0003]概して、ワイヤレス多元接続通信システムは、各々が複数のモバイルデバイスのための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージ範囲を有する。場合によっては、複数のＲＡＴキャリアが、ＵＥとネットワーク機器（たとえば、基地局）との間でデータを通信するためにアグリゲートまたは結合され得る。これらの場合、ＲＡＴのうちの１つの上でのハンドオーバの場合にトラフィックフロー連続性と効率的なキャリアリソース利用とを与えるＵＥビヘイビアとネットワーク機器ビヘイビアとを決定する必要があり得る。
【発明の概要】
【０００５】
[0004]本開示は、たとえば、複数のＲＡＴの結合またはアグリゲーションに基づくハンドオーバ適応のための１つまたは複数の技法に関する。本明細書の原理によれば、ＵＥとネットワーク機器との間のネットワーク通信は第１の無線アクセス技術（ＲＡＴ）と第２のＲＡＴとで確立され得、第１のＲＡＴと第２のＲＡＴとの間の結合はＵＥとネットワーク機器との間の通信において識別され得る。第１のＲＡＴと第２のＲＡＴとの間の識別された結合に基づいて、ＲＡＴのうちの１つのための再選択プロシージャまたはハンドオーバプロシージャが適応され得る。
【０００６】
[0005]例示的な例の第１のセットでは、ＵＥによるワイヤレス通信のための方法について説明する。一例では、本方法は、第１のＲＡＴと第２のＲＡＴとでＵＥとネットワーク機器との間の通信を確立することと、ＵＥとネットワーク機器との間の通信において第１のＲＡＴと第２のＲＡＴとの間の結合を識別することと、ＵＥが、第１のＲＡＴと第２のＲＡＴとの間の識別された結合に基づいてＲＡＴのうちの少なくとも１つのための再選択プロシージャまたはハンドオーバプロシージャのうちの少なくとも１つを適応させることと、を含み得る。
【０００７】
[0006]本方法のいくつかの例では、第１のＲＡＴと第２のＲＡＴとの間の結合を識別することは、第１のＲＡＴと第２のＲＡＴとによりＵＥとネットワーク機器との間で通信されるネットワークトラフィックが、少なくとも１つの同じベアラによってサポートされると決定することを含み得る。これらの例では、本方法は、ＵＥのハンドオーバが、現在のレートで第１のＲＡＴと第２のＲＡＴの両方により少なくとも１つの同じベアラによってサポートされるネットワークトラフィックを通信し続けるＵＥの能力に影響を及ぼすことになると決定することをさらに含み得る。いくつかの例では、ハンドオーバプロシージャを適応させることは、ハンドオーバが、現在のレートで第１のＲＡＴと第２のＲＡＴの両方により少なくとも１つの同じベアラによってサポートされるネットワークトラフィックを通信し続けるＵＥの能力に影響を及ぼすことになるという決定に応答し得る。
【０００８】
[0007]本方法のいくつかの例では、第１のＲＡＴと第２のＲＡＴとの間の結合を識別することは、第２のＲＡＴの少なくとも１つのキャリアを用いて第１のＲＡＴの少なくとも１つのキャリアのキャリアアグリゲーションを識別すること、または、ネットワーク機器が、第１のＲＡＴと第２のＲＡＴとに関連付けられたコロケート要素を備えると決定することを含み得る。いくつかの例では、第１のＲＡＴと第２のＲＡＴとの間の結合を識別することは、ＲＡＴのうちの１つを介してネットワーク機器からユニキャストメッセージを受信することを含み得る。ユニキャストメッセージは、たとえば、第１のＲＡＴと第２のＲＡＴとの間の結合を示し得る。いくつかの例では、第１のＲＡＴと第２のＲＡＴとの間の結合を識別することは、ＲＡＴのうちの少なくとも１つで第１のＲＡＴと第２のＲＡＴとの間の結合を広告するブロードキャストメッセージを受信することを含み得る。
【０００９】
[0008]本方法のいくつかの例では、ＲＡＴのうちの少なくとも１つのためのハンドオーバプロシージャを適応させることは、第１のＲＡＴにおけるハンドオーバイベントの検出に応答して第２のＲＡＴにおけるハンドオーバイベントを開始するようにＵＥを構成することを含み得る。これらの例では、本方法は、第２のＲＡＴにおけるハンドオーバイベントのターゲットが少なくとも１つの所定の基準を満たすという決定に応答して、第２のＲＡＴにおけるハンドオーバイベントを開始するようにＵＥを構成することをさらに含み得る。少なくとも１つの所定の基準は、第１のＲＡＴにおけるハンドオーバイベントのターゲットと第２のＲＡＴにおけるハンドオーバイベントのターゲットとに関連付けられたネットワーク機器が第１のＲＡＴと第２のＲＡＴとの結合をサポートするという決定を含み得る。本方法は、第１のＲＡＴにおけるハンドオーバイベントのターゲットが第２のＲＡＴにおけるハンドオーバイベントのターゲットとコロケートされるという決定に応答して第２のＲＡＴにおけるハンドオーバイベントを開始するようにＵＥを構成することをさらに含み得る。
【００１０】
[0009]本方法のいくつかの例では、ＲＡＴのうちの少なくとも１つのための再選択プロシージャまたはハンドオーバプロシージャを適応させることは、第１のＲＡＴまたは第２のＲＡＴによりネットワーク機器から受信されたメッセージに基づいて第２のＲＡＴにおけるハンドオーバイベントを開始するようにＵＥを構成することを含み得る。これらの例では、ネットワーク機器から受信されたメッセージは、第１のＲＡＴにおけるハンドオーバイベントに応答し得る。本方法のいくつかの例では、ＲＡＴのうちの少なくとも１つのための再選択プロシージャまたはハンドオーバプロシージャを適応させることは、ＲＡＴのうちの少なくとも１つのためにデフォルトハンドオーバプロシージャを抑圧するようにＵＥを構成することを含み得る。本方法のいくつかの例では、ＲＡＴのうちの少なくとも１つのための再選択プロシージャまたはハンドオーバプロシージャを適応させることはまた、測定イベントのセットを変更することを含み得る。測定イベントは、チャネル測定値を取得するか、またはネットワーク機器に測定報告を与えるようにＵＥをトリガするように構成され得る。
【００１１】
[0010]いくつかの例では、本方法は、ＲＡＴのうちの１つに関連付けられたポートのセットによりワイヤレストラフィックを送信および受信することをさらに含む。これらの例では、再選択プロシージャまたはハンドオーバプロシージャはポートのセットのサブセットのために適応され得る。
【００１２】
[0011]例示的な例の第２のセットでは、ユーザ機器（ＵＥ）装置について説明する。一例では、ＵＥ装置は、第１のＲＡＴに関連付けられた第１の無線機と、第２のＲＡＴに関連付けられた第２の無線機と、プロセッサと、プロセッサと電子通信しているメモリと、メモリ中に組み込まれた命令とを含み得る。本装置は、第１の無線アクセス技術（ＲＡＴ）と第２のＲＡＴとによりＵＥ装置とネットワーク機器との間の通信を確立するための手段と、ＵＥ装置とネットワーク機器との間の通信において第１のＲＡＴと第２のＲＡＴとの間の結合を識別するための手段と、第１のＲＡＴと第２のＲＡＴとの間の識別された結合に基づいてＲＡＴのうちの少なくとも１つのための再選択プロシージャまたはハンドオーバプロシージャのうちの少なくとも１つを適応させるための手段とを含み得る。
【００１３】
[0012]いくつかの例では、本装置はまた、第１のＲＡＴと第２のＲＡＴとによりＵＥ装置とネットワーク機器との間で通信されるネットワークトラフィックが、少なくとも１つの同じベアラによってサポートされると決定するための手段を含み得る。いくつかの例では、本装置は、ＵＥ装置のハンドオーバが、現在のレートで第１のＲＡＴと第２のＲＡＴの両方により少なくとも１つの同じベアラによってサポートされるネットワークトラフィックを通信し続けるＵＥ装置の能力に影響を及ぼすことになると決定するための手段をさらに含み得る。これらの例では、ハンドオーバプロシージャを適応させることは、ハンドオーバが、現在のレートで第１のＲＡＴと第２のＲＡＴの両方により少なくとも１つの同じベアラによってサポートされるネットワークトラフィックを通信し続けるＵＥ装置の能力に影響を及ぼすことになるという決定に応答し得る。いくつかの例では、本装置はまた、例示的な例の第１のセットに関して上記で説明したワイヤレス通信のための方法の１つまたは複数の態様を実装するための手段を含み得る。
【００１４】
[0013]例示的な例の第３のセットでは、ネットワーク機器によるワイヤレス通信の方法について説明する。一例では、本方法は、第１の無線アクセス技術（ＲＡＴ）と第２のＲＡＴとによりネットワーク機器とユーザ機器（ＵＥ）との間の通信を確立することと、ネットワーク機器とＵＥとの間の通信において第１のＲＡＴと第２のＲＡＴとの間の結合を識別することと、ネットワーク機器が、第１のＲＡＴと第２のＲＡＴとの間の識別された結合に基づいてＲＡＴのうちの少なくとも１つのための再選択プロシージャまたはハンドオーバプロシージャのうちの少なくとも１つを適応させることとを含み得る。
【００１５】
[0014]本方法のいくつかの例では、第１のＲＡＴと第２のＲＡＴとの間の結合を識別することは、第１のＲＡＴと第２のＲＡＴとを介してネットワーク機器とＵＥとの間で通信されるネットワークトラフィックが、少なくとも１つの同じベアラによってサポートされると決定することを含み得る。これらの例では、本方法は、ＵＥのハンドオーバが、現在のレートで第１のＲＡＴと第２のＲＡＴの両方で少なくとも１つの同じベアラによってサポートされるネットワークトラフィックを通信し続けるＵＥの能力に影響を及ぼすことになると決定することをさらに含み得る。いくつかの例では、ハンドオーバプロシージャを適応させることは、ハンドオーバが、現在のレートで第１のＲＡＴと第２のＲＡＴの両方で少なくとも１つの同じベアラによってサポートされるネットワークトラフィックを通信し続けるＵＥの能力に影響を及ぼすことになるという決定に応答し得る。
【００１６】
[0015]本方法のいくつかの例では、第１のＲＡＴと第２のＲＡＴとの間の結合を識別することは、第２のＲＡＴの少なくとも１つのキャリアと第１のＲＡＴの少なくとも１つのキャリアとのキャリアアグリゲーションを識別すること、または、ネットワーク機器が、第１のＲＡＴと第２のＲＡＴとに関連付けられたコロケート要素を備えると決定することを含み得る。
【００１７】
[0016]本方法のいくつかの例では、ＲＡＴのうちの少なくとも１つのためのハンドオーバプロシージャを適応させることは、第１のＲＡＴにおけるＵＥのハンドオーバイベントを検出することと、第１のＲＡＴにおけるハンドオーバイベントに応答して、ＵＥにメッセージを送信することとを含み得る。メッセージは、たとえば、第２のＲＡＴにおけるハンドオーバイベントに関連付けられたターゲットを識別し得る。これらの例では、本方法は、第１のＲＡＴにおけるハンドオーバイベントのターゲットと第２のＲＡＴにおけるハンドオーバイベントのターゲットとが第１のＲＡＴと第２のＲＡＴとの間の結合をサポートするという決定にさらに応答してＵＥにメッセージを送信することをさらに含み得る。
【００１８】
[0017]本方法のいくつかの例では、再選択プロシージャまたはハンドオーバプロシージャを適応させることは、測定イベントのセットを変更するためにＵＥと通信することを含み得る。測定イベントは、チャネル測定値を取得するか、またはネットワーク機器に測定報告を与えるようにＵＥをトリガするように構成され得る。これらの例では、測定イベントのセットを変更することは、チャネル測定を実行するか、またはネットワーク機器に測定報告を与えるようにＵＥをトリガする信号強度しきい値の少なくとも１つの新しい値を構成することを含み得る。
【００１９】
[0018]本方法のいくつかの例では、再選択プロシージャまたはハンドオーバプロシージャを適応させることは、ＲＡＴのうちの少なくとも１つの測定されたネットワーク状態にさらに基づき得る。本方法のいくつかの例では、再選択プロシージャまたはハンドオーバプロシージャを適応させることは、ネットワーク機器によって記憶されるポリシーまたはＵＥのサービスクラスのうちの少なくとも１つにさらに基づき得る。いくつかの例では、ＲＡＴのうちの少なくとも１つがワイヤレスワイドエリアネットワーク（ＷＷＡＮ：wireless wide area network）ＲＡＴを含み得、ＲＡＴのうちの他方がワイヤレスローカルエリアネットワーク（ＷＬＡＮ：wireless local area network）ＲＡＴを含み得る。
【００２０】
[0019]例示的な例の第４のセットでは、ネットワーク機器装置について説明する。一例では、ネットワーク機器装置は、第１のＲＡＴに関連付けられた第１の無線機と、第２のＲＡＴに関連付けられた第２の無線機と、プロセッサと、プロセッサと電子通信しているメモリと、メモリ中に組み込まれた命令とを含み得る。本装置は、第１の無線アクセス技術（ＲＡＴ）と第２のＲＡＴとによりネットワーク機器装置とユーザ機器（ＵＥ）との間の通信を確立するための手段と、ネットワーク機器装置とＵＥとの間の通信において第１のＲＡＴと第２のＲＡＴとの間の結合を識別するための手段と、第１のＲＡＴと第２のＲＡＴとの間の識別された結合に基づいてＲＡＴのうちの少なくとも１つのための再選択プロシージャまたはハンドオーバプロシージャのうちの少なくとも１つを適応させるための手段とを含み得る。
【００２１】
[0020]いくつかの例では、本装置はまた、第１のＲＡＴと第２のＲＡＴとによりネットワーク機器とＵＥとの間で通信されるネットワークトラフィックが、少なくとも１つの同じベアラによってサポートされると決定するための手段を含み得る。いくつかの例では、本装置は、第１のＲＡＴにおけるＵＥのハンドオーバイベントを検出するための手段と、第１のＲＡＴにおけるハンドオーバイベントに応答して、ＵＥにメッセージを送信するための手段とをさらに含み得る。メッセージは、第２のＲＡＴにおけるＵＥのハンドオーバイベントをトリガし得る。いくつかの例では、本装置はまた、例示的な例の第３のセットに関して上記で説明したワイヤレス通信のための方法の１つまたは複数の態様を実装するための手段を含み得る。
【００２２】
[0021]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で与えられ、特許請求の範囲の限界を定めるものではない。
【００２３】
[0022]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２４】
【図１Ａ】様々な実施形態による、ワイヤレス通信システムのブロック図。
【図１Ｂ】様々な実施形態による、非コロケートＲＡＴの一例を示すブロック図。
【図２Ａ】様々な実施形態による、ＵＥとネットワーク機器との間でデータを通信するための複数のＲＡＴのアグリゲーションを含む例示的なワイヤレス通信システムのブロック図。
【図２Ｂ】様々な実施形態による、ＵＥとネットワーク機器との間でデータを通信するための複数の非コロケートネットワーク機器要素の結合を含む例示的なワイヤレス通信システムのブロック図。
【図３Ａ】様々な実施形態による、ハンドオーバの異なる段における例示的なワイヤレス通信システムのブロック図。
【図３Ｂ】様々な実施形態による、ハンドオーバの異なる段における例示的なワイヤレス通信システムのブロック図。
【図３Ｃ】様々な実施形態による、ハンドオーバの異なる段における例示的なワイヤレス通信システムのブロック図。
【図４】様々な実施形態による、ワイヤレスシステムにおけるハンドオーバ変更のための例示的なプロセスの図。
【図５】様々な実施形態による、例示的なＵＥのブロック図。
【図６】様々な実施形態による、例示的なＵＥのブロック図。
【図７】様々な実施形態による、例示的な基地局ネットワーク機器のブロック図。
【図８】様々な実施形態による、例示的な基地局ネットワーク機器のブロック図。
【図９】様々な実施形態による、例示的なワイヤレス通信システムのブロック図。
【図１０】様々な実施形態による、ワイヤレス通信を管理するための例示的な方法のフローチャート。
【図１１】様々な実施形態による、ワイヤレス通信を管理するための例示的な方法のフローチャート。
【発明を実施するための形態】
【００２５】
[0036]本明細書は、ネットワーク機器（たとえば、基地局、アクセスポイントなど）と通信しているＵＥのためのハンドオーバプロシージャまたは再選択プロシージャを変更することによるワイヤレス通信の管理について説明する。ＵＥとネットワーク機器とが複数の無線アクセス技術（ＲＡＴ）のアグリゲーションまたは結合を使用するとき、ＲＡＴの結合は、一方または両方のＲＡＴのためのハンドオーバプロシージャまたは再選択プロシージャに影響を及ぼし得る。
【００２６】
[0037]たとえば、コロケートまたは非コロケートＷＷＡＮ基地局およびＷＬＡＮアクセスポイント要素を有するネットワーク機器と通信するために、ＵＥは、セルラーワイヤレスワイドエリアネットワーク（ＷＷＡＮ）キャリアとワイヤレスローカルエリアネットワーク（ＷＬＡＮ）キャリアとをアグリゲートし得る。ＵＥまたはネットワーク機器は、ＵＥとネットワーク機器との間の通信においてＷＷＡＮキャリアとＷＬＡＮキャリアとの間の結合を識別し、ＵＥまたはネットワーク機器のためのハンドオーバまたは再選択ポリシーを更新し得る。たとえば、ＵＥまたはネットワーク機器は、ＷＷＡＮ側のハンドオーバイベント（たとえば、ハンドオーバの検出された発生または切迫）および／またはＷＷＡＮハンドオーバに関係するメッセージがＷＬＡＮ側のハンドオーバをトリガするように、識別された結合に基づいて再構成され得る。
【００２７】
[0038]追加または代替の例では、ＵＥまたはネットワーク機器は、ＷＷＡＮまたはＷＬＡＮ  ＲＡＴのためのデフォルトハンドオーバプロシージャを抑圧（suppress）すること、および／あるいはチャネル測定値を取得するかまたはネットワーク機器に測定報告を与えるようにＵＥをトリガする測定イベントのセットを変更することを行うように、識別された結合に基づいて再構成され得る。
【００２８】
[0039]したがって、以下の説明は、例を与えるものであり、特許請求の範囲において記載される範囲、適用性、または構成を限定するものではない。本開示の趣旨および範囲から逸脱することなく、説明される要素の機能および構成において変更が行われ得る。様々な実施形態は、適宜に様々なプロシージャまたは構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００２９】
[0040]最初に図１Ａを参照すると、図は、ワイヤレス通信システム１００の一例を示している。システム１００は、基地局ネットワーク機器１０５と、通信ユーザ機器（ＵＥ）１１５と、コアネットワーク１３０とを含み得る。基地局ネットワーク機器１０５は、ＵＥ１１５と通信するためのいくつかのセルをサポートし得、コアネットワーク１３０に結合され得る。基地局ネットワーク機器１０５は、バックホールリンク１３２を介してコアネットワーク１３０と制御情報および／またはユーザデータを通信し得る。実施形態では、基地局ネットワーク機器１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３０】
[0041]基地局ネットワーク機器１０５は、１つまたは複数の基地局アンテナを介してＵＥ１１５とワイヤレス通信し得る。基地局ネットワーク機器１０５サイトの各々は、それぞれの地理的エリア１１０に通信カバレージを与え得る。いくつかの実施形態では、基地局ネットワーク機器１０５は、単に基地局、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局ネットワーク機器のためのカバレージエリア１１０は、カバレージエリアの一部分のみを構成するセクタ（図示せず）に分割され得る。システム１００は、異なるタイプの基地局ネットワーク機器１０５（たとえば、マクロ基地局、マイクロ基地局、および／またはピコ基地局）を含み得る。異なる技術のための重複するカバレージエリアがあり得る。
【００３１】
[0042]実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、概して、それぞれ基地局ネットワーク機器１０５およびモバイルデバイスについて説明するために使用され得る。システム１００は、異なるタイプのｅＮＢがその中で様々な地理的領域にカバレージを与える、異種（Heterogeneous）ＬＴＥ／ＬＴＥ−Ａネットワークであり得る。たとえば、各ｅＮＢ１０５は、マクロセル、ピコセル、フェムトセル、および／あるいは他のタイプのセルまたは電力分類として動作し得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、フェムトセルとの関連を有するＵＥ（たとえば、限定加入者グループ（ＣＳＧ：closed subscriber group）中のＵＥ、自宅内のユーザのためのＵＥなど）への制限付きアクセス、オープンアクセス、またはハイブリッドアクセスを与え得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３２】
[0043]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２インターフェースなど）を介しておよび／またはバックホールリンク１３２を介して（たとえば、コアネットワーク１３０を介して）、直接的または間接的に、互いと通信し得る。ワイヤレスネットワーク１００は、同期動作または非同期動作をサポートし得る。同期動作の場合、ｅＮＢは同様のフレームタイミングを有し得、異なるｅＮＢからの送信は近似的に時間的に整合(aligned)され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００３３】
[0044]ＵＥ１１５は、ワイヤレスネットワーク１００全体にわたって分散され得、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３４】
[0045]ネットワーク１００中に示された送信リンク１２５は、ＵＥ１１５から基地局ネットワーク機器１０５へのアップリンク（ＵＬ）送信、および／または基地局ネットワーク機器１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３５】
[0046]いくつかの例では、ＵＥ１１５が異なる無線アクセス技術（ＲＡＴ）キャリアのアグリゲーションを介してコアネットワーク１３０にアクセスし得るように、異種ＲＡＴがワイヤレス通信システム内で利用可能であり得る。たとえば、システム１００の１つまたは複数の基地局ネットワーク機器１０５は、両方のＷＷＡＮ基地局要素ＷＬＡＮアクセスポイント要素を含み得る。いくつかの例では、基地局ネットワーク機器１０５は、ＷＬＡＮアクセスポイント要素とコロケートされたＬＴＥ  ｅＮＢ要素を含み得る。したがって、マルチＲＡＴ基地局ネットワーク機器１０５が、別個のＬＴＥキャリアとＷＬＡＮキャリアとを介してＵＥ１１５と通信するためにｅＮＢ１０５とＷＬＡＮアクセスポイント１０５の両方を実装し得る。追加または代替として、いくつかの基地局ネットワーク機器１０５は、ＷＷＡＮ基地局要素またはＷＬＡＮアクセスポイント要素のいずれかを含み得、たとえば、それらの要素はコロケートされないことがあり、ＵＥ１１５はＷＷＡＮ要素とＷＬＡＮ要素の両方と通信し得る。したがって、ここで使用されている基地局ネットワーク機器１０５はＷＷＡＮ要素またはＷＬＡＮ要素のいずれか、あるいはその両方を含み得る。
【００３６】
[0047]いくつかの基地局ネットワーク機器１０５は、基地局ネットワーク機器１０５がＷＷＡＮキャリアとＷＬＡＮキャリアの両方を介して１つまたは複数のＵＥと同時に通信し得るようにＷＷＡＮ−ＷＬＡＮキャリアアグリゲーションをサポートし得る。そのような基地局ネットワーク機器１０５は、ＷＷＡＮ  ＲＡＴとＷＬＡＮ  ＲＡＴの両方を介して、ＵＥ１１５に送信されるべきパケットを与え、ＵＥ１１５からパケットを受信する単一の無線リンク制御（ＲＬＣ：Radio Link Control）レイヤを有し得る。したがって、両方のＲＡＴを介してＵＥ１１５とネットワーク機器１０５との間で通信されるネットワークトラフィックは、少なくとも１つの共通ベアラ（たとえば、ＷＷＡＮ側にセットアップされた発展型パケットコア（ＥＰＣ：evolved packet core）ベアラ）によってサポートされ得る。以下の図に関してより詳細に説明するように、ＵＥ１１５、および／またはＷＷＡＮ  ＲＡＴキャリアとＷＬＡＮ  ＲＡＴキャリアとのアグリゲーションをサポートする基地局ネットワーク機器１０５は、ＲＡＴ間の結合および／またはアグリゲーションを識別することと、識別された結合に基づいてＵＥ１１５および／または基地局ネットワーク機器１０５におけるハンドオーバプロシージャまたは再選択プロシージャを適応させることとが可能であり得る。
【００３７】
[0048]図１Ｂに、非コロケートネットワーク機器１０５要素をもつシステム１００−ｂの一例を示す図を示す。システム１００−ｂは図１Ａのシステム１００の態様の一例であり得る。システム１００−ｂは、ＷＷＡＮ  ＲＡＴに関連付けられ、カバレージエリア１１０−ａを有する基地局ネットワーク機器１０５−ａを含み得る。システム１００−ｂはまた、ＷＬＡＮ  ＲＡＴに関連付けられ、カバレージエリア１１０−ｂを有するアクセスポイントネットワーク機器１０５−ｂを含み得る。ネットワーク機器１０５−ａおよび１０５−ｂは図１Ａのネットワーク機器１０５の例であり得る。
【００３８】
[0049]システム１００−ｂはまた、図１ＡのＵＥ１１５の一例であり得るＵＥ１１５−ａを含み得る。ＵＥ１１５−ａは、１つまたは複数の送信リンク１２５−ａを使用してネットワーク機器１０５−ａと通信し得る。ＵＥ１１５−ａは、１つまたは複数の送信リンク１２５−ｂを使用してネットワーク機器１０５−ｂと通信し得る。いくつかの事例では、ＵＥ１１５−ａは、ネットワーク機器１０５−ａとネットワーク機器１０５−ｂの両方とコンカレントに通信し得る。ネットワーク機器１０５は、バックホールリンク１３４−ａなどの高速リンクを介して結合され得る。
【００３９】
[0050]次に図２Ａを参照すると、ワイヤレス通信システム２００−ａの図が示されている。ワイヤレス通信システム２００−ａは、ＵＥ１１５−ｂと、ＬＴＥ−ＷＬＡＮ基地局ネットワーク機器１０５−ｃと、発展型パケットコア（ＥＰＣ）１３０−ａと、ＩＰネットワーク２４５（たとえば、インターネット、および／またはセルラープロバイダに関連付けられたＩＰネットワーク）とを含み得る。ＵＥ１１５−ｂ、ＬＴＥ−ＷＬＡＮ基地局ネットワーク機器１０５−ｃ、およびＥＰＣ１３０−ａは、図１のＵＥ１１５、基地局ネットワーク機器１０５、およびコアネットワーク１３０の例であり得る。
【００４０】
[0051]ＬＴＥ−ＷＬＡＮ基地局ネットワーク機器１０５−ｃは、ＬＴＥ  ｅＮＢとＷＬＡＮアクセスポイントの両方の機能を組み合わせ、連結し得る。したがって、ＬＴＥ−ＷＬＡＮ基地局ネットワーク機器１０５−ｃはｅＮＢ要素２１５とＷＬＡＮアクセスポイント要素２２０とを含み得る。ＵＥ１１５−ｃは、ＬＴＥ無線機２０５を使用してＬＴＥ−ＷＬＡＮ基地局ネットワーク機器１０５−ｃのｅＮＢ要素２１５と通信し、ＷＬＡＮ無線機２１０を使用してＬＴＥ−ＷＬＡＮ基地局ネットワーク機器のＷＬＡＮアクセスポイント要素２２０と通信し得る。本例は、ＬＴＥ  ＲＡＴとＷＬＡＮ  ＲＡＴとのためのキャリアのアグリゲーションおよび発展型パケットコア１３０−ａのコンテキストにおいて与えられているが、これらの原理は、および他のタイプのコアネットワーク１３０を使用して他のタイプのＲＡＴのためのキャリアのアグリゲーションに適用され得ることが理解されよう。
【００４１】
[0052]ｅＮＢ要素２１５およびＷＬＡＮアクセスポイント要素２２０は、異なるＲＡＴのためのキャリアのアグリゲーションを使用する発展型パケットコア１３０−ａへのアクセスをＵＥ１１５−ｂに与えることが可能であり得る。具体的には、ＬＴＥ−ＷＬＡＮ基地局ネットワーク機器１０５−ｃのｅＮＢ要素２１５は、第３世代パートナーシッププロジェクト（３ＧＰＰ：3rd Generation Partnership Project）によって定義されるＬＴＥまたはＬＴＥアドバンストアクセス技術のＵｕインターフェースを介した発展型パケットコア１３０−ａへのアクセスを与え得、ＬＴＥ−ＷＬＡＮ基地局ネットワーク機器１０５−ｃのＷＬＡＮアクセスポイント要素２２０は、電気電子技術者協会（ＩＥＥＥ：Institute of Electrical and Electronics）による８０２．１１規格によって定義されるＷＬＡＮアクセス技術を介した発展型パケットコア１３０−ａへのアクセスを与え得る。
【００４２】
[0053]発展型パケットコア１３０−ａは、３ＧＰＰ団体によって規格化された発展型パケットシステム（ＥＰＳ：Evolved Packet System）アーキテクチャによって定義されているように、モビリティ管理エンティティ２２５と、ホーム加入者サーバ（ＨＳＳ：home subscriber server）２３０と、サービングゲートウェイ（ＳＧＷ：serving gateway）２３５と、パケットデータネットワーク（ＰＤＮ：packet data network）ゲートウェイ（ＰＤＮ−ＧＷ：PDN gateway）２４０とを含み得る。いくつかの例では、これらのノードのうちの１つまたは複数は同じデバイスによって実装され得る。
【００４３】
[0054]ＭＭＥは、ＵＥ１１５−ｂとＥＰＣ１３０−ａとの間のシグナリングを処理する制御ノードであり得る。概して、ＭＭＥ２２５はベアラおよび接続管理を行い得る。ＭＭＥ２２５は、したがって、ＵＥ１１５−ｂのためにアイドルモードＵＥトラッキングおよびページングと、ベアラアクティブ化および非アクティブ化と、ＳＧＷ選択とを担当し得る。ＭＭＥ２２５は、Ｓ１−ＭＭＥインターフェースを介してＬＴＥ−ＷＬＡＮ基地局ネットワーク機器１０５−ｃのｅＮＢ要素２１５と通信し得る。ＭＭＥ２２５は、さらに、ＵＥ１１５−ｂを認証し、ＵＥ１１５−ｂとの非アクセス層（ＮＡＳ：Non-Access Stratum）シグナリングを実装し得る。
【００４４】
[0055]ＨＳＳ２３０は、機能の中でも、加入者データを記憶し、ローミング制限を管理し、加入者のためのアクセス可能アクセスポイント名（ＡＰＮ：access point name）を管理し、加入者をＭＭＥ２２５に関連付け得る。ＨＳＳは、３ＧＰＰ団体によって規格化された発展型パケットシステム（ＥＰＳ）アーキテクチャによって定義されたＳ６ａインターフェースによりＭＭＥと通信し得る。
【００４５】
[0056]ＬＴＥ  ＲＡＴを介して送信されるすべてのユーザＩＰパケットはＳＧＷ２３５を通して転送され得、ＳＧＷ２３５は、Ｓ５シグナリングインターフェースを介してＰＤＮ−ＧＷ２４０に接続され、Ｓ１１シグナリングインターフェースを介してＭＭＥに接続され、ＬＴＥ−ＷＬＡＮ基地局ネットワーク機器１０５−ａに接続され得る。ＳＧＷ２３５は、ユーザプレーン中に常駐し、ｅＮＢ間ハンドオーバと、異なるアクセス技術間のハンドオーバとのためのモビリティアンカーとして働き得る。ＰＤＮ−ＧＷ２４０はＵＥのＩＰアドレス割振りならびに他の機能を与え得る。
【００４６】
[0057]ＰＤＮ−ＧＷ２４０は、ＳＧｉシグナリングインターフェースを介して、ＩＰネットワーク２４５など、１つまたは複数の外部パケットデータネットワークへの接続性を与え得る。ＩＰネットワーク２４５は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００４７】
[0058]本例では、ＵＥ１１５−ｂとＥＰＣ１３０−ａとの間のユーザプレーンデータ２５０は、トラフィックがＬＴＥ無線リンクで流れるのか、ＷＬＡＮ無線リンクで流れるのかにかかわらず、１つまたは複数のＥＰＣベアラの同じセットを横断し得る。１つまたは複数のＥＰＣベアラのセットに関係するシグナリングまたは制御プレーンデータ２５５は、ＬＴＥ−ＷＬＡＮ基地局ネットワーク機器１０５−ｃのｅＮＢ要素２１５を介して、ＵＥ１１５−ｂのＬＴＥ無線機２０５とＥＰＣのＭＭＥ２２５との間で送信され得る。したがって、ＷＬＡＮアクセスポイント要素２２０が、ＥＰＣベアラのためのシグナリングデータ２４５を扱うｅＮＢ要素２１５とコロケートされているか、そうでなければｅＮＢ要素２１５と高速通信している場合、当該ＥＰＣベアラに関係するデータを搬送するために、ＵＥ１１５−ｂのＷＬＡＮ無線機２１０とＷＬＡＮアクセスポイント要素２２０との間のリンクまたは結合が使用され得る。逆に、ＵＥ１１５−ｂをサービスするＷＬＡＮアクセスポイントがｅＮＢ要素２１５に関連付けられないか、またはｅＮＢ要素２１５に直接結合されない場合、ＷＬＡＮによりＵＥ１１５−ｂによって送られるトラフィックは、ｅＮＢ要素２１５のベアラに到達する方法を有しないことがある。代替的に、ＵＥ１１５−ｂからｅＮＢ要素２１５のベアラへのＷＬＡＮトラフィックのための経路があり得るが、そのような経路は、ＵＥ１１５−ｂをサービスするＷＬＡＮアクセスポイントとｅＮＢ要素２１５との間の遅いバックホールを含み得、それにより、不十分なスループットまたは大きい遅延が引き起こされ、不十分なユーザエクスペリエンスが生じ得る。
【００４８】
[0059]この理由で、図２Ａに示されているように、ＵＥ１１５−ｂが、現在、ＬＴＥキャリアとＷＬＡＮキャリアとのアグリゲーションを使用してＥＰＣベアラデータをＬＴＥ−ＷＬＡＮ基地局ネットワーク機器１０５−ｃと通信している場合、ベアラがＬＴＥハンドオーバのターゲットセルにおいて開始するように再構成され得るので、ＬＴＥ側のハンドオーバはＷＬＡＮ側のデータ経路に中断を引き起こし得る。したがって、ＵＥ１１５−ｂまたはＬＴＥ−ＷＬＡＮ基地局ネットワーク機器１０５−ｃは、検出されたハンドオーバイベントがＬＴＥ  ＲＡＴとＷＬＡＮ  ＲＡＴの両方を介して同じベアラによってサポートされるネットワークトラフィックを通信し続けるＵＥ１１５−ｂの能力に影響を及ぼし得ると決定し得る。同様に、ベアラがＷＬＡＮハンドオーバのターゲットＷＬＡＮアクセスポイントにとって利用可能でないことがあるので、ＷＬＡＮ側のハンドオーバはＷＬＡＮ側のデータ経路に中断を引き起こす場合がある。
【００４９】
[0060]これらの場合のいずれにおいても、ハンドオーバに続いてＷＬＡＮリンクでＵＥによって送られる、ＥＰＣベアラに関係するトラフィックは、ＷＬＡＮアクセスポイントにおいてドロップされ得、それは、ＵＥ１１５−ｂおよび／またはＬＴＥ−ＷＬＡＮ基地局ネットワーク機器１０５−ｃのためのデフォルトハンドオーバプロシージャへの変更がなければ、ＵＥ１１５−ｂに現在関連付けられたＷＬＡＮアクセスポイントにおいてそのベアラが利用可能でないことがあるからである。データパケットのこの損失は不十分なユーザエクスペリエンスを生じ得る。これらおよび他の問題に対処するために、本明細書は、ＷＷＡＮ  ＲＡＴとＷＬＡＮ  ＲＡＴとの識別された結合またはアグリゲーションに基づいて、およびいくつかの例では、ＵＥのハンドオーバが、いずれも、ＵＥが第１のＲＡＴと第２のＲＡＴの両方により同じベアラによってサポートされるネットワークトラフィックを通信し続けることを妨げることになるという決定に基づいて、ＵＥ１１５−ｂまたはＬＴＥ−ＷＬＡＮネットワーク機器１０５−ｃがＷＷＡＮ  ＲＡＴまたはＷＬＡＮ  ＲＡＴのうちの少なくとも１つのためのハンドオーバプロシージャおよび／または再選択プロシージャを適応させるという概念について説明する。
【００５０】
[0061]次に図２Ｂを参照すると、非コロケートネットワーク機器１０５要素をもつワイヤレス通信システム２００−ｂの実施形態が示されている。ワイヤレス通信システム２００−ｂは、ＵＥ１１５−ｂと、ＬＴＥ基地局ネットワーク機器１０５−ｄと、ＷＬＡＮアクセスポイントネットワーク機器１０５−ｅと、ＥＰＣ１３０−ａと、ＩＰネットワーク２４５（たとえば、インターネット、および／またはセルラープロバイダに関連付けられたＩＰネットワーク）とを含み得る。ＵＥ１１５−ｂ、ＬＴＥ基地局ネットワーク機器１０５−ｄ、ＷＬＡＮアクセスポイントネットワーク機器１０５−ｅ、およびＥＰＣ１３０−ａは、図１Ａ、図１Ｂ、または図２ＡのＵＥ１１５、基地局ネットワーク機器１０５、およびコアネットワーク１３０の例であり得る。ｅＮＢ要素２１５−ａはＬＴＥネットワーク機器１０５−ｄのモジュールであり得、ＷＬＡＮアクセスポイント要素２２０−ａはＷＬＡＮネットワーク機器１０５−ｅのモジュールであり得る。ｅＮＢ要素２１５−ａは、高速リンク（たとえば、バックホールリンク１３４−ｂ）によってＷＬＡＮアクセスポイント要素２２０−ａに結合され得る。
【００５１】
[0062]ＵＥ１１５−ｂは、上記の図２Ａに関して説明したのと同様の様式でｅＮＢ要素２１５−ａおよびＷＬＡＮアクセスポイント要素２２０−ａと通信し得る。同様に、ＥＰＣ１３０−ａとＩＰネットワーク２４５との様々な態様を用いた通信は、図２Ａに関して上記で説明したようなものであり得る。したがって、ＵＥ１１５−ｂとＥＰＣ１３０−ａとの間のユーザプレーンデータ２５０−ａは、トラフィックがＬＴＥ無線リンクで流れるのか、ＷＬＡＮ無線リンクで流れるのかにかかわらず、１つまたは複数のＥＰＣベアラの同じセットを横断し得る。１つまたは複数のＥＰＣベアラのセットに関係するシグナリングまたは制御プレーンデータ２５５−ａは、ＬＴＥ基地局ネットワーク機器１０５−ｄのｅＮＢ要素２１５−ａを介して、ＵＥ１１５−ｂのＬＴＥ無線機２０５とＥＰＣのＭＭＥ２２５との間で送信され得る。ＵＥ１１５−ｂのＷＬＡＮ無線機２１０とＷＬＡＮアクセスポイント要素２２０−ａとの間のリンク１３４−ｂ（たとえば、結合）は、ＥＰＣベアラについてのシグナリングデータ２４５を扱うｅＮＢ要素２１５−ａにそのベアラに関係するデータを搬送するために使用され得る。
【００５２】
[0063]次に図３Ａ、図３Ｂ、および図３Ｃを参照すると、複数のハンドオーバイベントのプロセス中のワイヤレス通信システム３００のブロック図が示されている。ワイヤレス通信システム３００は、ＵＥ１１５−ｃと、第１のＬＴＥ−ＷＬＡＮ基地局ネットワーク機器１０５−ｆと、第２のＬＴＥ−ＷＬＡＮ基地局ネットワーク機器１０５−ｇと、コアネットワーク１３０−ｂとを含み得る。ＵＥ１１５−ｃは、前の図を参照しながら上記で説明したＵＥ１１５のうちの１つまたは複数の一例であり得る。ＬＴＥ−ＷＬＡＮ基地局ネットワーク機器１０５−ｆ、１０５−ｇは、前の図を参照しながら上記で説明した基地局ネットワーク機器１０５のうちの１つまたは複数の例であり得る。コアネットワーク１３０−ｂは、前の図を参照しながら上記で説明したコアネットワーク１３０のうちの１つまたは複数の一例であり得る。ＬＴＥ−ＷＬＡＮ基地局ネットワーク機器１０５−ｆ、１０５−ｇはコロケートｅＮＢおよびＷＬＡＮ  ＡＰ要素とともに示されているが、ネットワーク機器１０５要素は、たとえば、図２Ｂを参照しながら上記で説明したように、同様に非コロケートであり得ることを、当業者は認識されよう。
【００５３】
[0064]特に図３Ａを参照すると、ハンドオーバイベントが行われる前に、ＵＥ１１５−ｃは第１のＬＴＥ−ＷＬＡＮ基地局ネットワーク機器１０５−ｆのｅＮＢ１要素およびＷＬＡＮアクセスポイント１要素と通信し得る。ＵＥ１１５−ｃは、少なくとも１つのＬＴＥキャリアと少なくとも１つのＷＬＡＮキャリアとの結合３０５−ａまたはアグリゲーションに従って、ＬＴＥ  ＲＡＴとＷＬＡＮ  ＲＡＴの両方により同じ１つまたは複数のＥＰＣベアラによってサポートされるデータを通信し得る。上記で説明したように、（１つまたは複数の）ＥＰＣベアラに関係する制御シグナリングが、ＬＴＥ  ＲＡＴを使用してＵＥ１１５−ｃとコアネットワーク１３０−ｂとの間で通信され得る一方、（１つまたは複数の）ＥＰＣベアラに関係するユーザプレーンデータが、ＬＴＥ  ＲＡＴおよび／またはＷＬＡＮ  ＲＡＴを使用してＵＥ１１５−ｃとコアネットワーク１３０−ｂとの間で通信され得るように、（１つまたは複数の）ＥＰＣベアラは第１のＬＴＥ−ＷＬＡＮ基地局ネットワーク機器１０５−ｆのｅＮＢ１要素においてセットアップされ得る。
【００５４】
[0065]ＵＥ１１５−ｃまたは第１のＬＴＥ−ＷＬＡＮ基地局ネットワーク機器１０５−ｆは、ＬＴＥ  ＲＡＴとＷＬＡＮ  ＲＡＴとの結合３０５−ａまたはアグリゲーションを識別し、ＵＥをＬＴＥからハンドオーバするためのデフォルトプロシージャを変更し得る。いくつかの例では、ＵＥ１１５−ｃまたはＬＴＥ−ＷＬＡＮ基地局ネットワーク機器１０５−ｆは、ＬＴＥ  ＲＡＴとＷＬＡＮ  ＲＡＴの両方を介してＵＥ１１５−ｃと第１のネットワーク機器１０５−ｆとの間で通信されるネットワークトラフィックが少なくとも１つの共通ベアラによってサポートされるか、またはそれを通してチャネリングされるという決定に基づいて、２つのＲＡＴ間の結合３０５−ａまたはアグリゲーションを識別し得る。追加または代替として、ＵＥ１１５−ｃは、ＵＥ１１５−ｃに結合３０５−ａを通知する、ＬＴＥ−ＷＬＡＮ基地局ネットワーク機器１０５−ｆから受信されたメッセージに基づいて、ＲＡＴ間の結合３０５−ａを識別し得る。このメッセージはユニキャストメッセージまたはブロードキャストメッセージであり得る。
【００５５】
[0066]ＲＡＴの結合３０５−ａまたはアグリゲーションを識別すると、ＵＥ１１５−ｃまたはＬＴＥ−ＷＬＡＮ基地局ネットワーク機器１０５−ｆは、ＲＡＴのうちの１つの上でのＵＥ１１５−ｃのハンドオーバが、データ送信の現在のレートでＲＡＴのアグリゲーションにより同じベアラによってサポートされるネットワークトラフィックを通信し続けるＵＥの能力に影響を及ぼすことになると決定し得る。この決定とＲＡＴ間の識別された関係とに基づいて、ＵＥ１１５−ｃおよび／またはＬＴＥ−ＷＬＡＮ基地局ネットワーク機器１０５−ｆは、ＵＥ１１５−ｃのセルラーおよびＷＬＡＮ接続が、ハンドオーバが実行された後でも、可能な範囲内で、少なくともデータ送信の現在のレートに維持することが可能であることを保証するために、ＲＡＴ間の調整されたハンドオーバが適切であり得ると決定し得る。いくつかの事例では、たとえば、データ送信の現在のレートを維持することは、ハンドオーバの後のＵＥ１１５−ｃのターゲットＷＷＡＮおよびＷＬＡＮ接続が同じネットワーク機器１０５−ｇによって扱われるとき、または非コロケートＷＬＡＮおよびＷＷＡＮ要素によって引き起こされる最小遅延があるとき、調整されたハンドオーバを実行することによって助けられ得る。したがって、ＵＥ１１５−ｃおよび／またはＬＴＥ−ＷＬＡＮ基地局ネットワーク機器１０５−ｆは、ＲＡＴのうちの少なくとも１つのためのハンドオーバプロシージャまたは再選択プロシージャを適応させると決定し得る。
【００５６】
[0067]いくつかの例では、再選択プロシージャまたはハンドオーバプロシージャは、ＵＥ１１５−ｃまたはＬＴＥ−ＷＬＡＮ基地局ネットワーク機器１０５−ｆが、第１のＲＡＴにおけるハンドオーバイベントの検出に応答して第２のＲＡＴにおけるハンドオーバイベントを開始するようにＵＥ１１５−ｃを構成することによって変更され得る。第１のＲＡＴにおけるハンドオーバイベントは、ＵＥ１１５−ｃによって、またはＬＴＥ−ＷＬＡＮ基地局ネットワーク機器１０５−ｆによって開始され得、ハンドオーバイベントは、ＵＥ１１５−ｃによって検出されるか、またはＬＴＥ−ＷＬＡＮ基地局ネットワーク機器１０５−ｆによってＵＥに報告され得る。
【００５７】
[0068]いくつかの例では、再選択プロシージャまたはハンドオーバプロシージャは、ＵＥ１１５−ｃのハンドオーバが行われたか、またはＲＡＴのうちの一方において切迫していることと、ＷＷＡＮハンドオーバのターゲットが少なくとも１つの所定の基準を満たすこととの決定に応答して、ＵＥ１１５−ｃまたはＬＴＥ−ＷＬＡＮ基地局ネットワーク機器１０５−ｆ  ＵＥ１１５−ｃが、ＲＡＴのうちの他方におけるハンドオーバをトリガするようにＵＥ１１５−ｃを構成することによって変更され得る。一例では、ＵＥ１１５−ｃは、ＷＷＡＮハンドオーバのターゲットセルが２つのＲＡＴのアグリゲーションを維持または再確立することが可能であるコロケートＷＷＡＮおよびＷＬＡＮ要素を有する場合にＷＷＡＮハンドオーバが行われたか、または行われることになるという決定に応答して、ＷＬＡＮ  ＲＡＴにおけるハンドオーバをトリガするように再構成され得る。すなわち、ＷＷＡＮハンドオーバのターゲットセルが、ＷＷＡＮ−ＷＬＡＮアグリゲーションをサポートする結合されたＷＬＡＮ  ＡＰを有しない場合、ＷＬＡＮハンドオーバを開始する必要がないことがある。
【００５８】
[0069]別の例では、ＵＥ１１５−ｃは、ＷＬＡＮハンドオーバのターゲットアクセスポイント（たとえば、ネットワーク機器１０５−ｇのＷＬＡＮ  ＡＰ２）が、ＵＥ１１５−ｃの現在のアクセスポイント（たとえば、ネットワーク機器１０５−ｆのＷＬＡＮ  ＡＰ１）に結合されたＷＷＡＮ要素（たとえば、ネットワーク機器１０５−ｆのｅＮＢ１）とは異なるＷＷＡＮ要素（たとえば、ネットワーク機器１０５−ｇのｅＮＢ２）に結合されている場合にＷＬＡＮハンドオーバが行われたか、または行われることになるという決定に応答してＷＷＡＮ  ＲＡＴにおけるハンドオーバをトリガするように再構成され得る。すなわち、ＷＬＡＮハンドオーバのターゲットアクセスポイントがＵＥ１１５−ｃの現在のＷＷＡＮサービングセルにすでに結合されている場合、ＷＷＡＮハンドオーバを開始する必要がないことがある。
【００５９】
[0070]追加または代替の例では、再選択プロシージャまたはハンドオーバプロシージャは、ＵＥ１１５−ｃまたはＬＴＥ−ＷＬＡＮ基地局ネットワーク機器１０５−ｆが、第１のＲＡＴまたは第２のＲＡＴでＬＴＥ−ＷＬＡＮ基地局ネットワーク機器１０５−ｂから受信されたメッセージに基づいて第２のＲＡＴにおけるハンドオーバイベントを開始するようにＵＥ１１５−ｃを構成することによって変更され得る。たとえば、ＵＥ１１５−ｃは、ＵＥ１１５−ｃにおいて行われようとしているＷＷＡＮハンドオーバのターゲット（たとえば、第２のＬＴＥ−ＷＬＡＮ基地局ネットワーク機器１０５−ｇのｅＮＢ２要素）を示す、第１のＬＴＥ−ＷＬＡＮ基地局１０５−ｆからＷＬＡＮ側により受信されたメッセージに応答して、ＷＬＡＮ側のハンドオーバをトリガするようにそれ自体を構成し得る。このメッセージは、ＵＥ１１５−ｃのＷＷＡＮハンドオーバが行われようとしていると第１のＬＴＥ−ＷＬＡＮ基地局１０５−ｆが決定したことに応答して、第１のＬＴＥ−ＷＬＡＮ基地局１０５−ｆによってＷＬＡＮによりＵＥ１１５−ｃに送信され得る。いくつかの例では、メッセージは、ＷＷＡＮハンドオーバの示されたターゲットに結合されたターゲットＷＬＡＮアクセスポイントへのＷＬＡＮハンドオーバを実行するようにとのＵＥ１１５−ｃへの命令を含み得る。
【００６０】
[0071]追加または代替の例では、再選択プロシージャまたはハンドオーバプロシージャは、ＲＡＴ間の決定された結合と、ＲＡＴのうちの１つのためのハンドオーバのターゲットが少なくとも１つの所定の基準を満たすという追加の決定とに応答して、ＵＥ１１５−ｃまたはＬＴＥ−ＷＬＡＮ基地局ネットワーク機器１０５−ｆによって変更され得る。少なくとも１つの所定の基準は、ＵＥ１１５−ｃの状態（たとえば、送るべきデータの量、送るべきデータのＱｏＳまたはサービス要件）に従って動的に調整され得る。一例では、ＵＥ１１５−ｃは、所定の位置にあるＷＷＡＮ−ＬＴＥアグリゲーションをサポートするＷＬＡＮ側の潜在的ターゲットアクセスポイントを識別し得るが、ＵＥ１１５−ｃの現在のＷＷＡＮ−ＬＴＥ接続性とは無関係に、ＷＷＡＮ−ＬＴＥ接続性サービスを提供する。この場合、ＵＥ１１５−ｃは、再選択プロシージャまたはハンドオーバプロシージャに対する変更を行ってまたは行わずにＷＬＡＮ側のハンドオーバがＩＰ連続性を中断させることができるので、結合３０５に基づいてそれの再選択プロシージャまたはハンドオーバプロシージャを変更しないことを選択し得る。
【００６１】
[0072]追加または代替の例では、再選択プロシージャまたはハンドオーバプロシージャは、ＵＥ１１５−ｃまたはＬＴＥ−ＷＬＡＮ基地局ネットワーク機器１０５−ｆがＲＡＴのうちの１つのためにデフォルトハンドオーバプロシージャを抑圧することによって変更され得る。追加または代替の例では、ＵＥ１１５−ｃまたはＬＴＥ−ＷＬＡＮ基地局ネットワーク機器１０５−ｆは、チャネル測定値を取得するかまたはＬＴＥ−ＷＬＡＮ基地局ネットワーク機器１０５−ｆに測定報告を与えるように、ＵＥ１１５−ｃをトリガする測定イベントを追加するか、変更するか、または測定イベントのセットから削除し得る。ＬＴＥ−ＷＬＡＮ基地局ネットワーク機器１０５−ｆによって開始されるハンドオーバまたは再選択プロシージャは、ＵＥ１１５−ｃから受信された測定報告に応答し得るので、測定の実行または測定報告のプロビジョンをトリガする測定イベントの変更は、再選択プロシージャまたはハンドオーバプロシージャを変更し得る。
【００６２】
[0073]次に、特に図３Ｂおよび図３Ｃを参照すると、ＵＥ１１５−ｃのＬＴＥハンドオーバに応答してＵＥ１１５−ｃにＵＥ１１５−ｃのＷＬＡＮハンドオーバを開始させるために、ＬＴＥ  ＷＷＡＮ  ＲＡＴとＷＬＡＮ  ＲＡＴとの間の識別された結合３０５−ａに応答して、ＵＥ１１５−ｃのハンドオーバプロシージャが適応された一例が示されている。図３Ｂに示されているように、ＵＥ１１５−ｃのＬＴＥ接続は、第１のＬＴＥ−ＷＬＡＮ基地局ネットワーク機器１０５−ｆのｅＮＢ１要素から第２のＬＴＥ−ＷＬＡＮ基地局ネットワーク機器１０５−ｇのｅＮＢ２要素にハンドオーバされ得る。このハンドオーバの発生または切迫を検出したことに応答して、ＵＥ１１５−ｃは、第２のＬＴＥ−ＷＬＡＮ基地局ネットワーク機器１０５−ｇのｅＮＢ２要素が第２のＬＴＥ−ＷＬＡＮ基地局ネットワーク機器１０５−ｇのＷＬＡＮ  ＡＰ２要素に結合されることと、第２のＬＴＥ−ＷＬＡＮ基地局ネットワーク機器１０５−ｇがＬＴＥキャリアとＷＬＡＮキャリアとの結合およびアグリゲーションをサポートすることとを決定し得る。ＵＥ１１５−ｃにおける所定の位置にある適応されたハンドオーバプロシージャとこれらの決定とに基づいて、図３Ｃに示されているように、ＵＥ１１５−ｃは、第１のＬＴＥ−ＷＬＡＮ基地局ネットワーク機器１０５−ｆのＷＬＡＮ  ＡＰ１要素から第２のＬＴＥ−ＷＬＡＮ基地局ネットワーク機器１０５−ｇのＷＬＡＮ  ＡＰ２要素へのそれのＷＬＡＮ接続のハンドオーバを開始し得る。この第２のハンドオーバが完了すると、ＬＴＥキャリアとＷＬＡＮキャリアとの結合３０５−ｂは復元され得る。
【００６３】
[0074]いくつかの例では、ＵＥ１１５−ｃは、第１のＷＬＡＮポートを介して、ＥＰＣベアラに関連付けられたＷＬＡＮトラフィックを送信および受信し、第２のＷＬＡＮポートを介して他のＷＬＡＮトラフィック（たとえば、直接インターネットまたはＬＡＮ接続性）を送信および受信し得る。そのような場合、少なくとも、ａ）ＵＥとの間の通信において第１のＲＡＴと第２のＲＡＴとの間の結合を識別する機能と、ｂ）ネットワーク機器、および識別された結合に基づいてＲＡＴのうちの１つまたは複数のための再選択プロシージャまたはハンドオーバプロシージャのうちの少なくとも１つを適応させる機能とは、第１のポートのために実行され、第２のポートのために実行され得ない。すなわち、上記で説明した機能は、いくつかの例では、ＵＥ１１５−ｃとコアネットワーク１３０−ｂとの間のＥＰＣベアラ関係ＷＬＡＮトラフィックのみに適用されるが、ＵＥ１１５−ｃの他のＷＬＡＮトラフィックに適用されないことがある。したがって、ＷＬＡＮトラフィックがＵＥ１１５−ｃにおけるポートのセットに関連付けられた場合、ネットワークトラフィックルーティングは、ハンドオーバイベントに応答してポートのセットのサブセットのみのために適応され得る。
【００６４】
[0075]次に図４を参照すると、ＷＷＡＮ（たとえば、ＬＴＥ）キャリアとＷＬＡＮキャリアとの間の識別された結合に基づいてハンドオーバプロシージャを動的に適応させるプロセス４００の一例が示されている。プロセス４００は、ＵＥ１１５−ｄと第１のＬＴＥ−ＷＬＡＮ基地局ネットワーク機器１０５−ｈと第２のＬＴＥ−ＷＬＡＮ基地局ネットワーク機器１０５−ｉとのコンテキストで示されている。ＵＥ１１５−ｄおよびネットワーク機器１０５−ｈ、１０５−ｉは、前の図を参照しながら上記で説明したＵＥ１１５およびネットワーク機器１０５のうちの１つまたは複数の例であり得る。
【００６５】
[0076]プロセス４００は、第１のＬＴＥ−ＷＬＡＮ基地局ネットワーク機器１０５−ｈのｅＮＢ１要素から第２のＬＴＥ−ＷＬＡＮ基地局ネットワーク機器１０５−ｉのｅＮＢ２要素へのＵＥ１１５−ｄのセルラーＷＷＡＮハンドオーバ４０５の発生から開始し得る。このハンドオーバは、ＵＥ１１５−ｄによって、または第１のＬＴＥ−ＷＬＡＮ基地局ネットワーク機器１０５−ｈによって開始され得る。第１のＬＴＥ−ＷＬＡＮ基地局ネットワーク機器１０５−ｈがハンドオーバを開始する例では、第１のＬＴＥ−ＷＬＡＮ基地局ネットワーク機器１０５−ｈは、ＵＥ１１５−ｄにハンドオーバの発生または切迫を通知するメッセージをＵＥ１１５−ｄに送信し得る。
【００６６】
[0077]ハンドオーバの完了時、第２のＬＴＥ−ＷＬＡＮ基地局ネットワーク機器１０５−ｉは、ＵＥ１１５−ｄがキャリアアグリゲーションにおいて結合されたＬＴＥ  ＲＡＴとＷＬＡＮ  ＲＡＴとを有すると決定し、第２のＬＴＥ−ＷＬＡＮ基地局ネットワーク機器１０５−ｉのＡＰ２要素がこのアグリゲーションをサポートすると決定し、それのハンドオーバプロシージャを更新して、第２のＬＴＥ−ＷＬＡＮ基地局ネットワーク機器１０５−ｉのＡＰ２要素へのＵＥ１１５−ｄのＷＬＡＮ側のハンドオーバを試みる。第２のＬＴＥ−ＷＬＡＮ基地局ネットワーク機器１０５−ｉは、したがって、ＵＥ１１５−ｄのＷＬＡＮハンドオーバを要求する無線リソース制御（ＲＲＣ：radio resource control）レイヤメッセージを１１５−ｄに送信し得る。代替的に、第２のＬＴＥ−ＷＬＡＮ基地局ネットワーク機器１０５−ｉは、第２のＬＴＥ−ＷＬＡＮ基地局ネットワーク機器１０５−ｉのハンドオーバおよび能力の報告を単に送信し得る。
【００６７】
[0078]第２のＬＴＥ−ＷＬＡＮ基地局ネットワーク機器１０５−ｉから受信されたメッセージ４１０に基づいて、ＵＥ１１５−ｄは、４１５において、第１のＬＴＥ−ＷＬＡＮ基地局ネットワーク機器１０５−ｈのＷＬＡＮ  ＡＰ１要素からそれ自体の関連付け（アソシエーション）を解除し（disassociate）、４２０において、それ自体を第２のＬＴＥ−ＷＬＡＮ基地局ネットワーク機器１０５−ｉのＷＬＡＮ  ＡＰ２要素に関連付け（associate）、４２５において、ＷＬＡＮハンドオーバが完了したことを示すＲＲＣメッセージを第２のＬＴＥ−ＷＬＡＮ基地局ネットワーク機器１０５−ｉに送信するように、ＵＥ１１５−ｄは、ＬＴＥ  ＲＡＴとＷＬＡＮ  ＲＡＴとの結合に基づいて、適応されたハンドオーバプロシージャを動作させ得る。上記で説明したＬＴＥ  ＲＡＴとＷＬＡＮ  ＲＡＴとの結合は、両方のハンドオーバの完了に続いて復元され得る。
【００６８】
[0079]次に図５を参照すると、例示的なマルチモードＵＥ１１５−ｅのブロック図５００が示されている。ＵＥ１１５−ｅは、前の図を参照しながら上記で説明したＵＥ１１５のうちの１つまたは複数の一例であり得る。ＵＥ１１５−ｅは、ＷＷＡＮ無線機５０５と、ＷＬＡＮ無線機５１０と、ネットワーク機器通信モジュール５１５と、結合識別モジュール５２０と、ハンドオーバ適応モジュール５２５とを含み得る。これらの構成要素の各々は直接または間接的に通信している。
【００６９】
[0080]ＷＷＡＮ無線機５０５は、セルラーＷＷＡＮ  ＲＡＴ（たとえば、ＬＴＥ／ＬＴＥ−Ａ、ｅＨＲＰＤ、ＥＶ−ＤＯ、１ｘ／ＨＲＰＤなど）の１つまたは複数のキャリアによりネットワーク機器（たとえば、前の図のネットワーク機器１０５）と通信するように構成され得る。ＷＬＡＮ無線機５１０は、ＷＬＡＮ  ＲＡＴ（たとえば、ＩＥＥＥ８０２．１１など）の１つまたは複数のキャリアを介してネットワーク機器と通信するように構成され得る。
【００７０】
[0081]ネットワーク機器通信モジュール５１５は、ＷＷＡＮ  ＲＡＴとＷＬＡＮ  ＲＡＴとを介してＵＥとネットワーク機器との間の通信を確立するように構成され得る。特に、ネットワーク機器通信モジュール５１５は、少なくとも１つのＷＷＡＮキャリアと少なくとも１つのＷＬＡＮキャリアとのアグリゲーションまたは結合に従ってＷＷＡＮ  ＲＡＴとＷＬＡＮ  ＲＡＴとで同じＥＰＣベアラまたはＥＰＣベアラのセットによってサポートされるネットワークトラフィックの通信を調整およびスケジュールし得る。
【００７１】
[0082]結合識別モジュール５２０は、ＵＥ１１５−ｅとネットワーク機器との間の通信においてＷＷＡＮ  ＲＡＴとＷＬＡＮ  ＲＡＴとの間の結合またはアグリゲーションを識別するように構成され得る。結合識別モジュール５２０は、それ自体の動作に基づいて結合を推論するか、またはネットワーク機器からのメッセージ中で結合の通知を受信し得る。いくつかの例では、結合識別モジュール５２０は、ＷＷＡＮ  ＲＡＴの少なくとも１つのキャリアとＷＬＡＮ  ＲＡＴの少なくとも１つのキャリアとのキャリアアグリゲーションを識別し得る。追加または代替の例では、結合識別モジュール５２０は、ネットワーク機器がコロケートワイドエリアネットワーク（ＷＡＮ）およびワイヤレスエリアネットワーク（ＷＬＡＮ：wireless area network）要素を含むという決定に基づいて、ＷＷＡＮ  ＲＡＴとＷＬＡＮ  ＲＡＴとの結合を識別し得る。追加または代替の例では、結合識別モジュール５２０は、ＲＡＴのうちの１つでネットワーク機器から受信されたユニキャストメッセージに基づいてＷＷＡＮ  ＲＡＴとＷＬＡＮ  ＲＡＴとの結合を識別し得、メッセージは、ＷＷＡＮ  ＲＡＴとＷＬＡＮ  ＲＡＴとの間の結合を示す。追加または代替の例では、結合識別モジュール５２０は、ＲＡＴのうちの１つで受信されたブロードキャストメッセージに基づいて、ＷＷＡＮ  ＲＡＴとＷＬＡＮ  ＲＡＴとの結合を識別し得、メッセージは、ＷＷＡＮ  ＲＡＴとＷＬＡＮ  ＲＡＴとの間の結合を広告する。
【００７２】
[0083]ハンドオーバ適応モジュール５２５は、ＷＷＡＮ  ＲＡＴとＷＬＡＮ  ＲＡＴとの間の識別された結合に基づいて、ＷＷＡＮ  ＲＡＴまたはＷＬＡＮ  ＲＡＴのうちの少なくとも１つのための再選択プロシージャまたはハンドオーバプロシージャを適応させるように構成され得る。たとえば、上記でより詳細に説明するように、ハンドオーバプロシージャは、ＲＡＴのうちの１つのためのハンドオーバの検出された発生または切迫が他のＲＡＴにおけるハンドオーバをトリガするように適応され得る。ハンドオーバ適応モジュール５２５は、ＵＥ１１５−ｅのハンドオーバプロシージャまたは再選択プロシージャを適応または変更し、および／あるいはネットワーク機器のハンドオーバプロシージャまたは再選択プロシージャがＲＡＴ間の識別された結合に基づいて適応されるようにし得る。
【００７３】
[0084]次に図６を参照すると、マルチモードＵＥ１１５−ｆのより詳細な例のブロック図６００が示されている。ＵＥ１１５−ｆは、前の図を参照しながら上記で説明したＵＥ１１５のうちの１つまたは複数の一例であり得る。ＵＥ１１５−ｅは、ＷＷＡＮ無線機５０５と、ＷＬＡＮ無線機５１０と、ネットワーク機器通信モジュール５１５−ａと、結合識別モジュール５２０−ａと、ハンドオーバ適応モジュール５２５−ａと、プロセッサ６０５と、メモリ６１０とを含み得る。これらの構成要素の各々は直接または間接的に通信していることがある。いくつかの例では、プロセッサ６０５は、ＷＷＡＮ無線機５０５、ＷＬＡＮ無線機５１０、ネットワーク機器通信モジュール５１５−ａ、結合識別モジュール５２０−ａ、またはハンドオーバ適応モジュール５２５−ａに関連付けられた機能のうちの１つまたは複数を実行するためにメモリ６１０に記憶されたコンピュータ可読プログラムコード（たとえば、ソフトウェア（ＳＷ）６１５）を実行するように構成され得る。追加または代替として、これらの構成要素に関連付けられた１つまたは複数の機能は、各構成要素に関連付けられた機能を実行するために構成および相互接続されたＡＳＩＣあるいは他の専用または汎用ハードウェアによって実装され得る。
【００７４】
[0085]ネットワーク機器通信モジュール５１５−ａは、ＵＥ１１５−ｆとネットワーク機器との間の通信を、ＷＷＡＮ無線機５０５を使用してＷＷＡＮ  ＲＡＴを介して、およびＷＬＡＮ無線機５１０を使用してＷＬＡＮ  ＲＡＴを介して確立するように構成され得る。
【００７５】
[0086]ネットワーク機器通信モジュール５１５−ａは、スケジューラモジュール６２０と、チャネル測定および報告モジュール６２５とを含み得る。スケジューラモジュール６２０は、ユニファイド無線リンクコントローラ（ＲＬＣ：Radio Link Controller）レイヤから、１つまたは複数のＥＰＣベアラに関係するＲＬＣパケットを受信し、ＷＷＡＮプロトコルとＷＬＡＮプロトコルとに従ってネットワーク機器への送信のためにＷＷＡＮ無線機５０５とＷＬＡＮ無線機５１０との間でＲＬＣパケットを配信するように構成され得る。スケジューラモジュール６２０は、ネットワーク機器への送信のためにＲＡＴ間でＲＬＣパケットを配信するために１つまたは複数のルールを実装し得る。チャネル測定および報告モジュール６２５は、ＷＷＡＮ  ＲＡＴまたはＷＬＡＮ  ＲＡＴの一方または両方についてのチャネル状態およびパラメータを測定し、測定されたチャネル状態およびパラメータをネットワーク機器に報告し得る。
【００７６】
[0087]結合識別モジュール５２０−ａは、ＵＥ１１５−ｆとネットワーク機器との間の通信においてＷＷＡＮ  ＲＡＴとＷＬＡＮ  ＲＡＴとの間の結合を識別するように構成され得る。いくつかの例では、結合識別モジュール５２０−ａのキャリアアグリゲーション識別モジュール６３０は、ＷＷＡＮ  ＲＡＴの少なくとも１つのキャリアとＷＬＡＮ  ＲＡＴの少なくとも１つのキャリアとによるＵＥ１１５−ｆとネットワーク機器との間で通信されるネットワークトラフィックが少なくとも１つの共通ベアラによってサポートされると決定し得る。
【００７７】
[0088]また、結合識別モジュール５２０−ａは、ネットワーク機器がコロケートワイドエリアネットワーク（ＷＡＮ）およびワイヤレスエリアネットワーク（ＷＬＡＮ）要素を有するという決定に基づいて、ＷＷＡＮ  ＲＡＴとＷＬＡＮ  ＲＡＴとの間の結合を識別するように構成されたＲＡＴコロケーション識別モジュール６３５を含み得る。
【００７８】
[0089]結合識別モジュール５２０−ａは、ネットワーク機器からメッセージを受信することと、ネットワーク機器メッセージに基づいて、ＷＷＡＮ  ＲＡＴとＷＬＡＮ  ＲＡＴとの間の結合を識別することとを行うように構成されたネットワーク機器メッセージ処理モジュール６４０をさらに含み得る。いくつかの例では、ネットワーク機器からのメッセージは、ＷＷＡＮ  ＲＡＴとＷＬＡＮ  ＲＡＴとの間の結合を明確に示し得る。追加または代替として、ネットワーク機器からのメッセージは、ネットワーク機器がコロケートワイドエリアネットワーク（ＷＡＮ）およびワイヤレスエリアネットワーク（ＷＬＡＮ）要素を有することを示し得る。追加または代替として、ネットワーク機器からのメッセージは、ネットワーク機器メッセージ処理モジュール６４０がそこからＷＷＡＮ  ＲＡＴとＷＬＡＮ  ＲＡＴとの間の結合を推測し得る他の情報を含み得る。
【００７９】
[0090]ハンドオーバ適応モジュール５２５−ａは、ＷＷＡＮ  ＲＡＴとＷＬＡＮ  ＲＡＴとの間の識別された結合に基づいてＵＥ１１５−ｆあるいはネットワーク機器のハンドオーバプロシージャまたは再選択プロシージャを適応させるように構成され得る。本例のハンドオーバ適応モジュール５２５−ａは、ターゲット分析モジュール６４５と、ハンドオーバ開始モジュール６５０と、ネットワーク機器メッセージ処理モジュール６５５と、デフォルト抑圧（suppression）モジュール６６０と、測定報告トリガ変更モジュール６６５とを含み得る。
【００８０】
[0091]ターゲット分析モジュール６４５は、可能なＷＷＡＮまたはＷＬＡＮハンドオーバターゲットの分析に基づいて、ＵＥ１１５−ｆのハンドオーバプロシージャまたは再選択プロシージャを適応させるべきか、ネットワーク機器のハンドオーバプロシージャまたは再選択プロシージャを適応させるべきかを決定し得る。たとえば、ターゲット分析モジュール６４５は、ＵＥ１１５−ｆのための潜在的または切迫したＷＷＡＮターゲットセルが所定の基準を満たさない（たとえば、ＷＷＡＮ−ＷＬＡＮ結合をサポートしない）と決定し得る。したがって、ターゲット分析モジュール６４５は、ＵＥ１１５−ｆのデフォルトハンドオーバプロシージャを所定の位置でそのままにすることを決定し得る。
【００８１】
[0092]ＵＥ１１５−ｆが、結合に基づいてそれの再選択プロシージャまたはハンドオーバプロシージャを適応させると決定した場合、ハンドオーバ開始モジュール６５０は、ＲＡＴのうちの１つにおけるハンドオーバイベントを他のＲＡＴにおけるハンドオーバイベントの検出に基づいて開始するようにＵＥ１１５−ｆまたはネットワーク機器を構成することによって、ＷＷＡＮ  ＲＡＴとＷＬＡＮ  ＲＡＴとの結合に応答してＵＥ１１５−ｆあるいはネットワーク機器のハンドオーバプロシージャまたは再選択プロシージャを適応させ得る。たとえば、ハンドオーバ開始モジュール６５０は、ＷＷＡＮ  ＲＡＴにおけるハンドオーバに応答してＷＬＡＮ  ＲＡＴにおけるハンドオーバを開始するようにＵＥ１１５−ｆまたはネットワーク機器を構成し得る。
【００８２】
[0093]いくつかの例では、ハンドオーバ開始モジュール６５０は、ＷＬＡＮ  ＲＡＴのハンドオーバイベントに関連付けられたターゲットＷＬＡＮアクセスポイントが少なくとも１つの所定の基準を満たすという決定のみに応答して、ハンドオーバを開始するようにＵＥ１１５−ｆを構成し得る。たとえば、所定の基準は、ＷＷＡＮハンドオーバのターゲットセルとＷＬＡＮのターゲットアクセスポイントとに関連付けられたネットワーク機器が本明細書の原理によるＷＷＡＮ−ＷＬＡＮアグリゲーションをサポートするという決定を含み得る。追加または代替の例では、所定の基準は、ＷＬＡＮアクセスポイントハンドオーバのターゲットアクセスポイントにおけるチャネル品質またはネットワーク状態を含み得る。ＵＥ１１５−ｆまたはネットワーク機器が、検出されたＷＬＡＮハンドオーバに応答してＷＷＡＮハンドオーバを開始するように構成された例では、ＵＥ１１５−ｆまたはネットワーク機器は、ＷＷＡＮハンドオーバのターゲットが少なくとも１つの所定の基準を満たすことを条件としてＷＷＡＮハンドオーバを行うように構成され得る。
【００８３】
[0094]ネットワーク機器メッセージ処理モジュール６５５は、ＷＷＡＮ  ＲＡＴとＷＬＡＮ  ＲＡＴとの結合に応答して、およびネットワーク機器から受信された少なくとも１つのメッセージに従ってＵＥ１１５−ｆあるいはネットワーク機器のハンドオーバプロシージャまたは再選択プロシージャを適応させ得る。たとえば、ネットワーク機器メッセージはＲＡＴのうちの１つの上でのハンドオーバの発生または切迫に応答し、それを示し得る。いくつかの例では、ネットワーク機器からのメッセージはハンドオーバのターゲットを示し得る。
【００８４】
[0095]ハンドオーバポリシーモジュール６６０は、ＵＥ１１５−ｆまたはネットワーク機器の１つまたは複数のデフォルトハンドオーバまたは再選択プロシージャを抑圧すること（suppressing）によって、ＷＷＡＮ  ＲＡＴとＷＬＡＮ  ＲＡＴとの結合に応答してハンドオーバプロシージャまたは再選択プロシージャを適応させ得る。
【００８５】
[0096]測定報告トリガ変更モジュール６６５は、ネットワーク機器への送信のために測定報告を生成することに関連付けられたＵＥ１１５−ｆにおけるトリガを追加、変更、または削除することによってＵＥ１１５−ｆの測定報告トリガを再構成し得る。いくつかの例では、測定報告トリガへの変更は、ＲＡＴがアグリゲーションにおいて結合されるという決定に応答して、ネットワーク機器から少なくとも部分的に受信され得る。
【００８６】
[0097]次に図７を参照すると、例示的なマルチモードネットワーク機器１０５−ｊのブロック図７００が示されている。ネットワーク機器１０５−ｊは、前の図を参照しながら上記で説明したネットワーク機器１０５のうちの１つまたは複数の一例であり得る。ネットワーク機器１０５−ｊは、ＷＷＡＮ無線機７０５と、ＷＬＡＮ無線機７１０と、ＵＥ通信モジュール７１５と、結合識別モジュール７２０と、ハンドオーバ適応モジュール７２５とを含み得る。これらの構成要素の各々は直接または間接的に通信していることがある。
【００８７】
[0098]ＷＷＡＮ無線機７０５は、セルラーＷＷＡＮ  ＲＡＴ（たとえば、ＬＴＥ／ＬＴＥ−Ａ、ｅＨＲＰＤ、ＥＶ−ＤＯ、１ｘ／ＨＲＰＤなど）の１つまたは複数のキャリアでネットワーク機器（たとえば、前の図のネットワーク機器１０５）と通信するように構成され得る。ＷＬＡＮ無線機７１０は、ＷＬＡＮ  ＲＡＴ（たとえば、ＩＥＥＥ８０２．１１など）の１つまたは複数のキャリアでネットワーク機器と通信するように構成され得る。
【００８８】
[0099]ＵＥ通信モジュール７１５は、ＷＷＡＮ  ＲＡＴとＷＬＡＮ  ＲＡＴとによりＵＥとネットワーク機器１０５−ｊとの間の通信を確立するように構成され得る。特に、ＵＥ通信モジュール７１５は、少なくとも１つのＷＷＡＮキャリアと少なくとも１つのＷＬＡＮキャリアとのアグリゲーションまたは結合に従ってＷＷＡＮ  ＲＡＴとＷＬＡＮ  ＲＡＴとで同じＥＰＣベアラまたはＥＰＣベアラのセットによってサポートされるネットワークトラフィックの通信を調整およびスケジュールし得る。
【００８９】
[0100]結合識別モジュール７２０は、ネットワーク機器１０５−ｊとＵＥとの間の通信においてＷＷＡＮ  ＲＡＴとＷＬＡＮ  ＲＡＴとの間の結合またはアグリゲーションを識別するように構成され得る。結合識別モジュール７２０は、ネットワーク機器１０５−ｊの動作に基づいて結合を推測するか、またはＵＥからのメッセージ中で結合の通知を受信し得る。
【００９０】
[0101]ハンドオーバ適応モジュール７２５は、ＷＷＡＮ  ＲＡＴとＷＬＡＮ  ＲＡＴとの間の識別された結合に基づいて、ＷＷＡＮ  ＲＡＴまたはＷＬＡＮ  ＲＡＴのうちの少なくとも１つのための再選択プロシージャまたはハンドオーバプロシージャを適応させるように構成され得る。たとえば、上記でより詳細に説明するように、ハンドオーバプロシージャは、ＲＡＴのうちの１つのためのハンドオーバの検出された発生または切迫が他のＲＡＴにおけるハンドオーバをトリガするように適応され得る。ハンドオーバ適応モジュール７２５は、ネットワーク機器１０５−ｊのハンドオーバプロシージャまたは再選択プロシージャを適応または変更するか、および／あるいはＵＥのハンドオーバプロシージャまたは再選択プロシージャがＲＡＴ間の識別された結合に基づいて適応されるようにし得る。
【００９１】
[0102]次に図８を参照すると、マルチモードネットワーク機器１０５−ｋのより詳細な例のブロック図８００が示されている。ネットワーク機器１０５−ｋは、前の図を参照しながら上記で説明したネットワーク機器１０５のうちの１つまたは複数の一例であり得る。ネットワーク機器１０５−ｋは、ＷＷＡＮ無線機７０５と、ＷＬＡＮ無線機７１０と、ＵＥ通信モジュール７１５−ａと、結合識別モジュール７２０−ａと、ハンドオーバ適応モジュール７２５−ａと、プロセッサ８０５と、（たとえば、ソフトウェア８１５を含む）メモリ８１０とを含み得る。これらの構成要素の各々は直接または間接的に通信していることがある。いくつかの例では、プロセッサ８０５は、ＷＷＡＮ無線機７０５、ＷＬＡＮ無線機７１０、ＵＥ通信モジュール７１５−ａ、結合識別モジュール７２０−ａ、またはハンドオーバ適応モジュール７２５−ａに関連付けられた機能のうちの１つまたは複数を実行するためにメモリ８１０に記憶されたコンピュータ可読プログラムコードまたはソフトウェア（ＳＷ）８１５を実行するように構成され得る。追加または代替として、これらの構成要素に関連付けられた１つまたは複数の機能は、各構成要素に関連付けられた機能を実行するために構成および相互接続されたＡＳＩＣあるいは他の専用または汎用ハードウェアによって実装され得る。
【００９２】
[0103]ＵＥ通信モジュール７１５−ａは、ネットワーク機器１０５−ｋとＵＥとの間の通信を、ＷＷＡＮ無線機７０５を使用してＷＷＡＮ  ＲＡＴで、およびＷＬＡＮ無線機７１０を使用してＷＬＡＮ  ＲＡＴで確立するように構成され得る。
【００９３】
[0104]ＵＥ通信モジュール７１５−ａはスケジューラモジュール８２５を含み得る。スケジューラモジュール８２５は、ユニファイド無線リンクコントローラレイヤ（ＲＬＣ）から、１つまたは複数のＥＰＣベアラに関係するＲＬＣパケットを受信し、ＷＷＡＮプロトコルとＷＬＡＮプロトコルとに従ってＵＥへのダウンリンク送信のためにＷＷＡＮ無線機７０５とＷＬＡＮ無線機７１０との間でＲＬＣパケットを配信するように構成され得る。スケジューラモジュール８２５は、ＲＡＴ間でＲＬＣパケットを配信するために１つまたは複数のルールを実装し得る。
【００９４】
[0105]追加または代替として、ＵＥ通信モジュール７１５−ａは、ハンドオーバイベント、または１つのＲＡＴに関連付けられたハンドオーバイベントの切迫を検出するように構成され得るハンドオーバ検出モジュール８３０を含み得る。ハンドオーバ検出モジュール８３０は、ネットワーク機器１０５−ｋの追加のモジュールとともに、ネットワーク機器１０５−ｋのハンドオーバプロシージャまたは再選択プロシージャを適応させるか、または適応させることを支援するように構成され得る。
【００９５】
[0106]結合識別モジュール７２０−ａは、ネットワーク機器１０５−ｋとＵＥとの間の通信においてＷＷＡＮ  ＲＡＴとＷＬＡＮ  ＲＡＴとの結合を識別するように構成され得る。たとえば、結合識別モジュール７２０−ａのキャリアアグリゲーション識別モジュール８３５は、ＷＷＡＮ  ＲＡＴの少なくとも１つのキャリアとＷＬＡＮ  ＲＡＴの少なくとも１つのキャリアとでネットワーク機器１０５−ｋとＵＥとの間で通信されるネットワークトラフィックが少なくとも１つの共通ベアラによってサポートされると決定し得る。
【００９６】
[0107]ハンドオーバ適応モジュール７２５−ａは、ＷＷＡＮ  ＲＡＴとＷＬＡＮ  ＲＡＴとの間の識別された結合に基づいてネットワーク機器１０５−ｋまたはＵＥのハンドオーバプロシージャまたは再選択プロシージャを適応させるように構成され得る。本例のハンドオーバ適応モジュール７２５−ａは、ターゲット分析モジュール８４０と、ハンドオーバ開始モジュール８４５と、ＵＥ機器メッセージ処理モジュール８５０と、ハンドオーバポリシーモジュール８５５と、測定報告トリガ変更モジュール８６０とを含み得る。
【００９７】
[0108]ターゲット分析モジュール８４０は、可能なＷＷＡＮまたはＷＬＡＮハンドオーバターゲットの分析に基づいて、ネットワーク機器１０５−ｋのハンドオーバプロシージャまたは再選択プロシージャを適応させるべきか、ＵＥのハンドオーバプロシージャまたは再選択プロシージャを適応させるべきかを決定し得る。たとえば、ターゲット分析モジュール８４０は、ＵＥのための潜在的または切迫したＷＷＡＮターゲットセルが所定の基準を満たさない（たとえば、ＷＷＡＮ−ＷＬＡＮ結合をサポートしない）と決定し得る。したがって、ターゲット分析モジュール８４０は、ＵＥ１１５−ｆのデフォルトハンドオーバプロシージャを所定の位置でそのままにすることを決定し得る。
【００９８】
[0109]ネットワーク機器１０５−ｋが、結合に基づいてそれの再選択プロシージャまたはハンドオーバプロシージャを適応させると決定した場合、ハンドオーバ開始モジュール８４５は、ＲＡＴのうちの１つにおけるハンドオーバイベントを他のＲＡＴにおけるハンドオーバイベントの検出に基づいて開始するようにネットワーク機器１０５−ｋまたはＵＥを構成することによって、ＷＷＡＮ  ＲＡＴとＷＬＡＮ  ＲＡＴとの結合に応答してネットワーク機器１０５−ｋあるいはＵＥのハンドオーバプロシージャまたは再選択プロシージャを適応させ得る。たとえば、ハンドオーバ開始モジュール８４５は、ＷＷＡＮ  ＲＡＴにおけるハンドオーバに応答してＷＬＡＮ  ＲＡＴにおけるハンドオーバを開始するようにネットワーク機器１０５−ｋまたはＵＥを構成し得る。
【００９９】
[0110]いくつかの例では、ハンドオーバ開始モジュール８４５は、ＷＬＡＮ  ＲＡＴのハンドオーバイベントに関連付けられたターゲットＷＬＡＮアクセスポイントが少なくとも１つの所定の基準を満たすという決定のみに応答して、ハンドオーバを開始するようにネットワーク機器１０５−ｋまたはＵＥを構成し得る。たとえば、所定の基準は、ＷＷＡＮハンドオーバのターゲットセルとＷＬＡＮのターゲットアクセスポイントとに関連付けられたネットワーク機器が本明細書の原理によるＷＷＡＮ−ＷＬＡＮアグリゲーションをサポートするという決定を含み得る。追加または代替の例では、所定の基準は、ＷＬＡＮアクセスポイントハンドオーバのターゲットアクセスポイントにおけるチャネル品質またはネットワーク状態を含み得る。ネットワーク機器１０５−ｋまたはＵＥが、検出されたＷＬＡＮハンドオーバに応答してＷＷＡＮハンドオーバを開始するように構成された例では、ネットワーク機器１０５−ｋまたはＵＥは、ＷＷＡＮハンドオーバのターゲットが少なくとも１つの所定の基準を満たすことを条件としてＷＷＡＮハンドオーバを行うように構成され得る。
【０１００】
[0111]ＵＥメッセージ処理モジュール８５０は、ＷＷＡＮ  ＲＡＴとＷＬＡＮ  ＲＡＴとの結合に応答して、およびＵＥから受信された少なくとも１つのメッセージに従ってＵＥ１１５−ｆのハンドオーバプロシージャまたは再選択プロシージャを適応させ得る。たとえば、ＵＥメッセージはＲＡＴのうちの１つの上でのハンドオーバの発生または切迫に応答し、それを示し得る。いくつかの例では、ＵＥからのメッセージはハンドオーバのターゲットを示し得る。追加または代替として、ＵＥメッセージ処理モジュール８５０は、ＲＡＴのうちの１つ上でのハンドオーバの発生または切迫に応答し、それを示す、ＵＥへのメッセージを生成し得る。いくつかの例では、ネットワーク機器１０５−ｋからのメッセージはハンドオーバのターゲットを示し得る。
【０１０１】
[0112]ハンドオーバポリシーモジュール８５５は、ネットワーク機器８５５あるいはＵＥの１つまたは複数のデフォルトハンドオーバまたは再選択プロシージャを抑圧すること（suppressing）によって、ＷＷＡＮ  ＲＡＴとＷＬＡＮ  ＲＡＴとの結合に応答してハンドオーバプロシージャまたは再選択プロシージャを適応させ得る。
【０１０２】
[0113]測定報告トリガ変更モジュール８６０は、ネットワーク機器への送信のために測定報告を生成することに関連付けられたＵＥ１１５におけるトリガを追加、変更、または削除することによってＵＥの測定報告トリガを再構成し得る。いくつかの例では、測定報告トリガへの変更は、ＲＡＴがアグリゲーションにおいて結合されるという決定に応答して、ネットワーク機器から少なくとも部分的に受信され得る。
【０１０３】
[0114]図９は、ネットワーク機器１０５−ｌとＵＥ１１５−ｇとを含むＭＩＭＯ通信システム９００のブロック図である。このシステム９００は前の図のシステムおよびネットワークの態様を示し得る。ネットワーク機器１０５−ｌはアンテナ９３４−ａ〜９３４−ｘを装備し得、ＵＥ１１５−ｇはアンテナ９５２−ａ〜９５２−ｎを装備し得る。システム９００では、ネットワーク機器１０５−ｌは、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、ネットワーク機器１０５−ｌが２つの「レイヤ」を送信する２×２ＭＩＭＯシステムでは、ネットワーク機器１０５−ｌとＵＥ１１５−ｇとの間の通信リンクのランクは２である。
【０１０４】
[0115]ネットワーク機器１０５−ｌにおいて、送信プロセッサ９２０がデータソースからデータを受信し得る。送信プロセッサ９２０はデータを処理し得る。送信プロセッサ９２０はまた、基準シンボルとセル固有基準信号とを生成し得る。送信（ＴＸ）ＭＩＭＯプロセッサ９３０が、適用可能な場合、データシンボル、制御シンボル、および／または基準シンボルに対して空間処理（たとえば、プリコーディング）を実行し得、出力シンボルストリームを送信変調器９３２−ａ〜９３２−ｘに与え得る。各変調器９３２は、（たとえば、ＯＦＤＭなどのために）それぞれの出力シンボルストリームを処理して、出力サンプルストリームを取得し得る。各変調器９３２はさらに、ダウンリンク（ＤＬ）信号を取得するために、出力サンプルストリームを処理（たとえば、アナログへの変換、増幅、フィルタ処理、およびアップコンバート）し得る。一例では、変調器９３２−ａ〜９３２−ｘからのＤＬ信号は、それぞれアンテナ９３４−ａ〜９３４−ｘを介して送信され得る。
【０１０５】
[0116]上記の原理によれば、ネットワーク機器１０５−ｌは、プロセッサ８０５と、メモリ８１０と、ＵＥ通信モジュール７１５と、結合識別モジュール７２０と、ハンドオーバ適応モジュール７２５とを含み得る。ＵＥ通信モジュール７１５は、第１のＲＡＴと第２のＲＡＴとを介してＵＥ１１５−ｇとネットワーク機器１０５−ｌとの間の通信を確立し、ＵＥ１１５−ｇとネットワーク機器１０５−ｌとの間の通信において第１のＲＡＴと第２のＲＡＴとの間の結合を識別するように構成され得る。結合識別モジュール７２０は、第１のＲＡＴと第２のＲＡＴとの間の結合を識別するように構成され得、ハンドオーバ適応モジュール７２５は、第１のＲＡＴと第２のＲＡＴとの結合に少なくとも部分的に基づいてハンドオーバプロシージャを適応させるように構成され得る。
【０１０６】
[0117]ＵＥ１１５−ｇにおいて、ＵＥアンテナ９５２−ａ〜９５２−ｎは、ネットワーク機器１０５−ｌからＤＬ信号を受信し得、受信信号をそれぞれ復調器９５４−ａ〜９５４−ｎに与え得る。各復調器９５４は、入力サンプルを取得するために、それぞれの受信信号を調整（たとえば、フィルタ処理、増幅、ダウンコンバート、およびデジタル化）し得る。各復調器９５４はさらに、受信シンボルを取得するために、（たとえば、ＯＦＤＭなどのために）入力サンプルを処理し得る。ＭＩＭＯ検出器９５６は、すべての復調器９５４−ａ〜９５４−ｎから受信シンボルを取得し、適用可能な場合は受信シンボルに対してＭＩＭＯ検出を実施し、検出されたシンボルを与え得る。受信プロセッサ９５８が、検出されたシンボルを処理（たとえば、復調、デインターリーブ、および復号）し、ＵＥ１１５−ｇの復号されたデータをデータ出力に与え、復号された制御情報をプロセッサ８０５、またはメモリ８１０に与え得る。
【０１０７】
[0118]上記の原理によれば、ＵＥ１１５−ｇは、プロセッサ６０５と、メモリ６１０と、ネットワーク機器通信モジュール５１５と、結合識別モジュール５２０と、ルート適応モジュール５２５とを含み得る。ネットワーク機器通信モジュール５１５は、第１のＲＡＴと第２のＲＡＴとを介してＵＥ１１５−ｇとネットワーク機器１０５−ｌとの間の通信を確立するように構成され得る。結合識別モジュール５２０は、ＵＥ１１５−ｇとネットワーク機器１０５−ｌとの間の通信において第１のＲＡＴと第２のＲＡＴとの間の結合を識別し得る。ハンドオーバ適応モジュール５２５は、識別されたハンドオーバイベントに少なくとも部分的に基づいてネットワークハンドオーバプロシージャを適応させるように構成され得る。
【０１０８】
[0119]アップリンク（ＵＬ）上で、ＵＥ１１５−ｇにおいて、送信プロセッサ９６４が、データソースからデータを受信し、処理し得る。送信プロセッサ９６４はまた、基準信号のための基準シンボルを生成し得る。送信プロセッサ９６４からのシンボルは、適用可能な場合は送信ＭＩＭＯプロセッサ９６６によってプリコーディングされ、変調器９５４−ａ〜９５４−ｎによって（たとえば、ＳＣ−ＦＤＭＡなどのために）さらに処理され、ネットワーク機器１０５−ｌから受信された送信パラメータに従ってネットワーク機器１０５−ｌに送信され得る。
【０１０９】
[0120]ネットワーク機器１０５−ｌにおいて、ＵＥ１１５−ｇからのＵＬ信号は、アンテナ９３４によって受信され、復調器９３２によって処理され、適用可能な場合はＭＩＭＯ検出器９３６によって検出され、さらに受信プロセッサによって処理され得る。受信プロセッサ９３８は、復号されたデータをデータ出力とプロセッサ８０５とに与え得る。ＵＥ１１５−ｇの構成要素は、個別にまたは集合的に、ハードウェア中の適用可能な機能の一部または全部を実行するために適応された１つまたは複数の特定用途向け集積回路（ＡＳＩＣ）を用いて実装され得る。言及されたモジュールの各々は、システム９００の動作に関係する１つまたは複数の機能を実行するための手段であり得る。同様に、ネットワーク機器１０５−ｌの構成要素は、個別にまたは集合的に、ハードウェア中の適用可能な機能の一部または全部を実行するように適応された１つまたは複数の特定用途向け集積回路（ＡＳＩＣ）を用いて実装され得る。言及した構成要素の各々は、システム９００の動作に関係する１つまたは複数の機能を実行するための手段であり得る。
【０１１０】
[0121]図１０は、ワイヤレス通信システムにおいてワイヤレス通信を管理する例示的な方法１０００のフローチャートである。方法１０００は、たとえば、前の図を参照しながら上記で説明したＵＥ１１５のうちの１つまたは複数によって実行され得る。
【０１１１】
[0122]ブロック１００５において、ＵＥは、第１のＲＡＴと第２のＲＡＴとでネットワーク機器との通信を確立する。ブロック１０１０において、ＵＥは、ＵＥとネットワーク機器との間の通信において第１のＲＡＴと第２のＲＡＴとの間の結合を識別する。たとえば、ＵＥは、第１のＲＡＴと第２のＲＡＴの両方でＵＥとネットワーク機器との間で通信されるネットワークトラフィックが、１つまたは複数のベアラの共通セットによってサポートされると決定し得る。ブロック１０１５において、ＵＥは、第１のＲＡＴと第２のＲＡＴとの間の識別された結合に少なくとも部分的に基づいて再選択プロシージャまたはハンドオーバプロシージャを適応させる。
【０１１２】
[0123]図１１は、ワイヤレス通信システムにおいてワイヤレス通信を管理する例示的な方法１１００のフローチャートである。方法１１００は、たとえば、前の図を参照しながら上記で説明したネットワーク機器１０５のうちの１つまたは複数によって実行され得る。
【０１１３】
[0124]ブロック１１０５において、ネットワーク機器は、第１のＲＡＴと第２のＲＡＴとを介してＵＥとの通信を確立する。ブロック１１１０において、ネットワーク機器は、ネットワーク機器とＵＥとの間の通信において第１のＲＡＴと第２のＲＡＴとの間の結合を識別する。たとえば、ネットワーク機器は、第１のＲＡＴと第２のＲＡＴの両方でネットワーク機器とＵＥとの間で通信されるネットワークトラフィックが、１つまたは複数のベアラの共通セットによってサポートされると決定し得る。ブロック１１１５において、ネットワーク機器は、識別されたハンドオーバイベント、および第１のＲＡＴと第２のＲＡＴとの間の結合に少なくとも部分的に基づいて再選択プロシージャまたはハンドオーバプロシージャを適応させる。
【０１１４】
[0125]添付の図面に関して上記に記載した詳細な説明は、例示的な実施形態について説明しており、実装され得るまたは特許請求の範囲内に入る実施形態のみを表すものではない。この説明全体にわたって使用される「例示的（exemplary）」または「例示的（illustrative）」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１１５】
[0126]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上記のシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
【０１１６】
[0127]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１７】
[0128]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１１８】
[0129]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１１９】
[0130]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１２０】
[0131]本開示についての以上の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１Ａ】
2016521524.tif 000003
【図１Ｂ】
2016521524.tif 000004
【図２Ａ】
2016521524.tif 000005
【図２Ｂ】
2016521524.tif 000006
【図３Ａ】
2016521524.tif 000007
【図３Ｂ】
2016521524.tif 000008
【図３Ｃ】
2016521524.tif 000009
【図４】
2016521524.tif 000010
【図５】
2016521524.tif 000011
【図６】
2016521524.tif 000012
【図７】
2016521524.tif 000013
【図８】
2016521524.tif 000014
【図９】
2016521524.tif 000015
【図１０】
2016521524.tif 000016
【図１１】
2016521524.tif 000017
【国際調査報告】
2016521524.tif 000018
2016521524.tif 000019
2016521524.tif 000020